(57)【要約】      （修正有）【課題】側臥位又は半側臥位の姿勢を取る着用者の股下にフィットし、内太腿を伝って流れる体液を適切に吸収できる吸収性物品を提供する。【解決手段】複数のシート部材の間に配置された吸収体を有する吸収性本体１０を備えた吸収性物品１００であって、吸収性本体１０は、着用者の股下に当接する面を持つ天面部１と、この天面部１の肌非対向面側に向かって天面部１から延在する左右の側面部２，３とを有し、これら左右の側面部２，３の間に空間４が形成された立体的形状をなしている。【選択図】図１
2020032257.tif 000002
【特許請求の範囲】
【請求項１】
複数のシート部材の間に配置された吸収体を有する吸収性本体（１０）を備えた吸収性物品であって、
前記吸収性本体（１０）は、
着用者の股下に当接する面を持つ天面部（１）と、
前記天面部（１）の肌非対向面側に向かって前記天面部（１）から延在する左右の側面部（２，３）と、を有し、
前記左右の側面部（２，３）の間に空間（４）が形成されている  吸収性物品。
【請求項２】
前記左右の側面部（２，３）の一部に液不透過性の防漏シート（２０）が取り付けられている
請求項１に記載の吸収性物品。
【請求項３】
前記防漏シート（２０）は、前記左右の側面部（２，３）のうちの前記天面部（１）とは反対側の下端部（５）に、前記左右の側面部（２，３）に跨って取り付けられており、
前記左右の側面部（２，３）は、前記防漏シート（２０）が取り付けられた前記下端部（５）と前記天面部（１）との間に、前記防漏シート（２０）が取り付けられていない吸液部（６）を有する
請求項２に記載の吸収性物品。
【請求項４】
前記天面部（１）には前記空間（４）に繋がる貫通孔（７）が形成されている
請求項２に記載の吸収性物品。
【請求項５】
前記天面部（１）と前記左右の側面部（２，３）は連続して繋がっており、前記天面部（１）と前記左右の側面部（２，３）の境界線として山折り目（８）が形成されている
請求項２に記載の吸収性物品。
【請求項６】
前記左右の側面部（２，３）の両方又はいずれか一方には、前記天面部（１）から前記防漏シート（２０）のまで間に谷折り目（９）がさらに形成されている
請求項５に記載の吸収性物品。
【請求項７】
前記防漏シート（２０）は、
前記左右の側面部（２，３）に接合された固定部（２１）と、
前記固定部（２１）から延出する延出部（２２）と、を有し、
前記延出部（２２）は、前記天面部（１）を被覆できる長さを有する
請求項２に記載の吸収性物品。
【請求項８】
包装体（２００）の内部に請求項６に記載の吸収性物品（１００）を複数個収容した製品であって、
複数の前記吸収性物品（１００）は、前記山折り目（８）及び前記谷折り目（９）において折り畳まれた状態で前記包装体（２００）内に収容されている
製品。
【請求項９】
前記天面部（１）において、前記吸収体（１３）は、幅方向に延びる一又は複数の第１の圧搾線（３１）を有する
請求項１に記載の吸収性物品。
【請求項１０】
前記吸収体（１３）は、奥行き方向に延びる第２の圧搾線（３２）によって、前記天面部（１）と前記左右の側面部（２，３）との境界が形成されている
請求項９に記載の吸収性物品。
【請求項１１】
前記第２の圧搾線（３２）は、幅方向の外側に向かって張り出す円弧状に形成されている
請求項１０に記載の吸収性物品。
【請求項１２】
前記左右の側面部（２，３）において、前記吸収体（１３）は、奥行き方向に延びる一又は複数の第３の圧搾線（３３）を有する
請求項９に記載の吸収性物品
【請求項１３】
前記吸収体（１３）は、少なくとも前記天面部（１）において主吸収体（１３）と副吸収体（１４）とが厚み方向に積層されたものであり、
前記第１の圧搾線（３１）が、主吸収体（１３）と副吸収体（１４）の両方又はいずれか一方に形成されている
請求項９に記載の吸収性物品。
【請求項１４】
前記天面部（１）には前記空間（４）に繋がる貫通孔（７）が形成されている
請求項９に記載の吸収性物品。
【請求項１５】
前記左右の側面部（２，３）のうちの前記天面部（１）とは反対側の下端部（５）に、防漏シート（２０）が前記左右の側面部（２，３）に跨って取り付けられており、
請求項９に記載の吸収性物品。
【請求項１６】
前記左右の側面部（２，３）の下端が連結されており、
前記天面部（１）に位置する前記吸収体（１３）に、格子状の圧搾線（４１）が形成されている
請求項１に記載の吸収性物品。
【請求項１７】
前記格子状の圧搾線（４１）には、前記吸収性物品の幅方向に沿って延びるか、又は前記幅方向に対して１度以上４５度以下の範囲で傾斜した方向に沿って延びるものが含まれる
請求項１６に記載の吸収性物品。
【請求項１８】
防漏シート（２０）が、前記左右の側面部（２，３）のうちの前記天面部（１）とは反対側の下端部（５）に、前記左右の側面部（２，３）に跨って取り付けられており、
前記左右の側面部（２，３）は、前記防漏シート（２０）が取り付けられた前記下端部（５）と前記天面部（１）との間に、前記防漏シート（２０）が取り付けられていない吸液部（６）を有する
請求項１６に記載の吸収性物品。
【請求項１９】
前記吸収性本体（１０）は、前記天面部（１）に、前記吸収体（１３）と厚み方向に重なった副吸収体（１４）をさらに有しており、
前記吸収体（１３）と前記副吸収体（１４）は、それぞれ、圧搾線（４１，５１）を複数有しており、
前記吸収体（１３）と前記副吸収体（１４）の前記圧搾線（４１，５１）は、平面方向からみて少なくとも部分的に交差している
請求項１６に記載の吸収性物品。
【請求項２０】
前記吸収体（１３）と前記副吸収体（１４）は、それぞれ、
前記圧搾線（４１，５１）によって周囲を囲われた複数の非圧搾領域（４２，５２）と、
前記圧搾線（４１，５１）が交差した複数の交点部（４３，５３）と、を有し、
前記吸収体（１３）と前記副吸収体（１４）の一方の前記交点部の少なくとも一部が、他方の前記非圧搾領域に重なる
請求項１９に記載の吸収性物品。
【請求項２１】
前記天面部（１）には前記空間（４）に繋がる貫通孔（７）が形成されている
請求項１６に記載の吸収性物品。
【請求項２２】
前記貫通孔（７）は、前記天面部（１）のうち、前記格子状の圧搾線（４１）が形成された領域内に形成されている
請求項２１に記載の吸収性物品。
【請求項２３】
前記左右の側面部（２，３）の下端が連結されており、
前記左右の側面部（２，３）に位置する前記吸収体（１３）に、複数の圧搾線（４１）が形成されている
請求項１に記載の吸収性物品。
【請求項２４】
防漏シート（２０）が、前記左右の側面部（２，３）のうちの前記天面部（１）とは反対側の下端部（５）に、前記左右の側面部（２，３）に跨って取り付けられており、
前記左右の側面部（２，３）は、前記防漏シート（２０）が取り付けられた前記下端部（５）と前記天面部（１）との間に、前記防漏シート（２０）が取り付けられていない吸液部（６）を有する
請求項２３に記載の吸収性物品。
【請求項２５】
前記圧搾線（３１）は、前記吸液部（６）に位置する前記吸収体（１３）に形成されている
請求項２４に記載の吸収性物品。
【請求項２６】
前記圧搾線（４１）は、前記吸液部（６）から前記防漏シート（２０）が取り付けられた前記下端部（５）に亘って、前記吸収体（１３）に形成されている
請求項２５に記載の吸収性物品。
【請求項２７】
前記複数の圧搾線は、
複数の平行な圧搾線であるか、
閉じた領域を画定する複数の圧搾線であるか、又は
閉じた領域を画定する複数の平行な圧搾線である
請求項２３に記載の吸収性物品。
【請求項２８】
前記吸収性本体（１０）は、前記左右の側面部（２，３）に、前記吸収体（１３）と厚み方向に重なった副吸収体（１４）をさらに有しており、
前記副吸収体（１４）には、圧搾線（５１）が形成されており、
前記吸収体（１３）の前記圧搾線（４１）と前記副吸収体（１４）の前記圧搾線（５１）は、少なくとも部分的に交差している
請求項２３に記載の吸収性物品。
【請求項２９】
前記天面部（１）には前記空間（４）に繋がる貫通孔（７）が形成されている
請求項２３に記載の吸収性物品。
【発明の詳細な説明】
【技術分野】
【０００１】
本発明は、着用者の股下に当てがって使用する吸収性物品に関する。具体的に説明すると、本発明は、側臥位や半側臥位の姿勢を取っている着用者の股下に挟み込んで使用するのに適した吸収性物品に関するものである。
【背景技術】
【０００２】
従来から、成人用の使い捨ておむつや下着などの内面に重ねて使用するタイプの吸収性物品が知られている。このような吸収性物品は、尿取りパッドや吸収パッドなどと呼ばれる。尿取りパッドは、着用者の腹部を覆う前身頃と、着用者の背部を覆う後身頃と、それらの間に位置して着用者の股下に当接する股下部とを有する平面的な形状に形成されていることが一般的である（特許文献１等）。
【０００３】
また、介護の現場においては、介護者が着用者（被介護者）の股下に尿取りパッドを当てる際に、この尿取りパッドを長さ方向に折り畳み、尿取りパッドの断面がＷ字状になるようにして着用者の股下に挟み込む場合がある（図４９参照）。Ｗ字状に折り畳むことで、Ｗの中央の凸部が性器に当接するようになるため尿を吸収しやすくなる。また、着用者が男性の場合には、尿取りパッドをＵ字状にし、陰茎がＵの底に収まるように当接させて尿の排泄方向をガイドするなどの工夫も行われている。
【先行技術文献】
【特許文献】
【０００４】
【特許文献１】特開２０１０−２２７３８６号公報
【発明の概要】
【発明が解決しようとする課題】
【０００５】
ところで、着用者の中には、麻痺や関節拘縮などの症状を有しており、仰向けの姿勢で寝ることが出来ず、側臥位又は半側臥位の姿勢しか取ることができない者もいる。図５０に示されるように、側臥位又は半側臥位の姿勢で寝たきりの状態である場合、両脚がぴったりと閉じられたままとなっているため、尿取りパッドは着用者の両脚の間を挟み込む必要がある。しかし、尿取りパッドをＷ字状やＵ字状に折り畳んで厚みが生じた状態で挟み込むと、尿取りパッドと着用者の股下の間に隙間が生じて、その隙間から尿漏れが発生しやすいという問題があった（図４９参照）。
【０００６】
また、図４９に示されるように、通常の尿取りパッド３００は、液透過性のトップシート３０１と液不透過性のバックシート３０２の間に吸収体３０３が介在する構造を有している。この場合に、尿取りパッド３００をＷ字状に折り畳むと、液不透過性のバックシート３０２が着用者の両脚の内太腿に当接することとなる。しかし、液不透過性のバックシート３０２が内太腿に当接していると、内太腿を伝って流れる尿を尿取りパッドで吸収することが出来ないため、バックシート３０２と内太腿の間から尿が漏れ出しやすいという問題があった。また、液不透過性のバックシート３０２が着用者の肌に当接し続けると、皮膚トラブルの原因になるおそれもある。
【０００７】
そこで、本発明は、側臥位又は半側臥位の姿勢を取る着用者の股下に隙間を生じさせずにフィットさせることができ、しかも内太腿を伝って流れる体液を適切に吸収して外部に漏出することを防止できる吸収性物品を提供することを目的とする。
【課題を解決するための手段】
【０００８】
本発明の発明者は、上記課題の解決手段について鋭意検討した結果、吸収体を含んで構成された吸収性本体を、着用者の股下に当接する天面部と、その肌非対向面側に向かって延在する左右の側面部と、両側面部の間に形成される空間とを有する立体的形状とした。これにより、本発明者は、上記立体的形状をなす吸収性本体が側臥位又は半側臥位の姿勢を取る着用者の股下にフィットし、しかも内太腿を伝って流れる尿を適切に吸収して外部に漏出することを防止できるという知見を得た。そして、本発明者は、上記知見に基づけば従来技術の課題を解決できることに想到し、本発明を完成させた。具体的に説明すると、本発明は以下の構成を有する。
【０００９】
本発明は、尿取りパッドなどの吸収性物品に関する。本発明に係る吸収性物品は、吸収性本体１０を備える。この吸収性本体１０は、複数のシート部材と、これら複数のシート部材の間に配置された吸収体とを有する。吸収性本体１０は、着用者の股下に当接する面を持つ天面部１と、この天面部１の肌非対向面側に向かってこの天面部から延在する左右の側面部２，３とを有する。また、吸収性本体１０は、左右の側面部２，３の間に空間が形成されている。
【００１０】
上記構成のように、吸収性本体１０の天面部１が着用者の股下に密着するため、排泄された体液をまずは天面部１によって吸収することができる。また、吸収性本体１０の左右の側面部２，３が側臥位又は半側臥位の姿勢を取っている着用者の脚の付け根から内太腿に掛けて密着するため、この内太腿を伝って流れる体液も効果的に吸収することができる。さらに、吸収性物品は、従来の尿取りパッドのようにＷ字状やＵ字状に折り畳む必要がないため、着用者の肌に凹凸が接することもなく、肌に与える機械的刺激が少なくて済む。
【００１１】
本発明に係る吸収性物品は、吸収性本体１０の左右の側面部２，３の一部に、液不透過性の防漏シート２０が取り付けられていることが好ましい。
【００１２】
上記構成のように、側面部２，３に液不透過性の防漏シート２０が添設されていることで、この側面部２，３に浸透した体液が防漏シート２０に到達して留まるため、体液が外部に染み出すことを防止できる。これにより、本吸収性物品を重ねた下着や使い捨ておむつを汚すことがない。また、吸収性物品を交換する際には防漏シート２０を掴んで引き抜くことができるため、手を汚さずに吸収性物品を交換することができる。
【００１３】
本発明に係る吸収性物品において、防漏シート２０は、左右の側面部２，３のうちの天面部１とは反対側の下端部５に、これら左右の側面部２，３に跨って取り付けられていることが好ましい。この場合に、左右の側面部２，３は、防漏シート２０が取り付けられた下端部５と天面部１との間に、防漏シート２０が取り付けられていない吸液部６を有することが好ましい。
【００１４】
上記構成のように、防漏シート２０が左右の側面部２，３の下端部５に取り付けられていることで、体液の漏れ防止効果が高まるとともに、この防漏シート２０を掴んで吸収性物品を交換しやすくなる。また、左右の側面部２，３に吸液部６を設けることで、内太腿を伝って流れる体液をより確実に吸収することができる。
【００１５】
本発明に係る吸収性物品において、天面部１には空間４に繋がる貫通孔７が形成されていることが好ましい。この「貫通孔」は、単なる切れ込みであってもよいし、円形又は多角形の面積を持った開口であってもよい。また、「貫通孔」は、両端が閉じたものであっても良いし、一端が天面部１の端部にまで到達したスリット状のものであってもよいし、両端が天面部１の端部に到達した割れ目であってもよい。
【００１６】
上記構成のように、天面部１に貫通孔７を設けることで、この貫通孔７を通じて吸収性本体１０の空間４内へと体液を導くことができる。これにより、一度に大量の体液が排泄された場合であっても、効率的に吸収できる。また、着用者が男性である場合には、貫通孔７に陰茎を挿し込むことで、尿の排泄方向をガイドすることができる。
【００１７】
本発明に係る吸収性物品において、天面部１と左右の側面部２，３は連続して繋がっており、天面部１と左右の側面部２，３の境界線として山折り目８が形成されていることが好ましい。なお、「山折り目」とは、吸収性物品の外面側からみて凸となる折り目である。
【００１８】
上記構成のように、天面部１と左右の側面部２，３の境界線上に山折り目８を形成しておくことで、天面部１の肌に当接する面をほぼ平坦な面とすることができる。これにより、天面部１と着用者の股下とのフィット性が向上する。また、側面部２，３の間に形成される空間４が潰れにくくなるため、これらの側面部２，３と着用者の内太腿とのフィット性も向上する。
【００１９】
本発明に係る吸収性物品において、左右の側面部２，３の両方又はいずれか一方には、天面部１から防漏シート２０までの間に谷折り目９がさらに形成されていることが好ましい。なお、「谷折り目」とは、前述した山折り目とは反対向きの折り目であり、吸収性物品の外面側からみて凹となる折り目である。
【００２０】
上記構成のように、前述した山折り目８に加えて谷折り目９を形成しておくことで、天面部１を横倒しにして吸収性物品を折り畳むことができる。このため、吸収性物品を包装体などに収容しやすくなる。また、吸収性物品を包装体に収容した状態において、天面部１に折り目を付けずに済むため、天面部１を平坦に維持することができる。これにより、吸収性物品を包装体から取り出してすぐに使用できる。このように、天面部１は、基本的に折り目が形成されておらず、平坦（フラット）な面であることが好ましい。
【００２１】
本発明の吸収性物品において、防漏シート２０は、左右の側面部２，３に接合された固定部２１と、この固定部２１から延出する延出部２２とを有することとしてもよい。この場合に、延出部２２は、天面部１を被覆できる長さを有することが好ましい。
【００２２】
上記構成のように、防漏シート２０が延出部２２を有することで、例えば吸収性物品の使用前のときには、防漏シート２０の延出部２２によって天面部１を被覆しておくことができる。天面部１は着用者の股下に直接触れる部位であるため、この部位を延出部２２で被覆しておくことで、その衛生状態を保つことができる。
【００２３】
本発明の別の側面は、包装体２００の内部に上記第１の側面に係る吸収性物品１００を複数個収容した製品に関する。本発明に係る製品は、複数の吸収性物品１００が、山折り目８及び谷折り目９において折り畳まれた状態で包装体２００内に収容されていることが好ましい。
【００２４】
上記構成のように、吸収性物品１００のそれぞれに山折り目８及び谷折り目９を形成しておき、これらの折り目８，９に沿って折り畳むことで、複数の吸収性物品１００を包装体２００の内部にコンパクトに収容できる。また、このように折り畳むことで、吸収性物品１００の天面部１を平坦な状態に維持できる。つまり、吸収性物品１００の天面部１に折り目を付けなくても、包装体２００の内部に収容することができる。
【００２５】
本発明に係る吸収性物品において、吸収体１３は、さらに、天面部１に、幅方向に延びる一又は複数の第１の圧搾線３１を有していることが好ましい。
【００２６】
上記構成のように、吸収体１３の天面部１に幅方向に延びる第１の圧搾線３１を形成することで、幅方向から加わる外力に対する天面部１の応力を高めることができる。これにより、吸収性本体１０が着用者の股下及び内太腿により密着しやすくなり、また左右の側面部２，３の間の空間４も保持することができる。また、吸収体１３の天面部１に幅方向に延びる第１の圧搾線３１を形成することで、天面部１に触れた体液が幅方向に拡散しやすくなる。これにより、天面部１から側面部２，３に亘って広い範囲で迅速に体液を吸収することができるため、尿漏れ防止効果を高めることができる。
【００２７】
本発明において、吸収体１３は、奥行き方向に延びる第２の圧搾線３２によって、天面部１と左右の側面部２，３との境界が形成されていることが好ましい。より具体的には、天面部１と左右の側面部２，３は連続して繋がっており、天面部１と左右の側面部２，３の境界に相当する位置において、吸収体１３に第２の圧搾線３２が形成されている。このため、この第２の圧搾線３２は、天面部１と左右の側面部２，３とを分ける山折り目として機能する。
【００２８】
上記構成のように、天面部１と左右の側面部２，３の境界に第２の圧搾線３２を形成しておくことで、天面部１の形状を保持しやすくなる。これにより、天面部１が着用者の股下により密着するため、尿漏れを効果的に防止できる。
【００２９】
本発明において、第２の圧搾線３２は、幅方向の外側に向かって張り出す円弧状に形成されていることが好ましい。
【００３０】
上記構成のように、２つの第２の圧搾線３２を幅方向の外側に向かって張り出す円弧状とすることで、天面部１の奥行き方向の前後両端側が立ち上がり、着用者の股下の下腹部や臀部に沿った形になるために、隙間なくフィットしやすくなる。これにより排泄された尿や便が漏洩することをより効果的に防止できる。
【００３１】
本発明において、吸収体１３は、左右の側面部２，３に、奥行き方向に延びる一又は複数の第３の圧搾線３３を有することが好ましい。
【００３２】
上記構成のように、吸収体１３の左右の側面部２，３に奥行き方向に延びる第３の圧搾線３３を形成することで、この吸収体１３に加わる奥行き方向の外力に対する応力を高めることができる。また、第３の圧搾線３３を形成しておくことで、左右の側面部２，３の間の空間４を保持することができる。
【００３３】
本発明において、吸収体１３は、少なくとも天面部１において、主吸収体１３と副吸収体１４とが厚み方向に積層されたものであってもよい。この場合に、第１の圧搾線３１は、主吸収体１３と副吸収体１４の両方又はいずれか一方に形成されていればよい。
【００３４】
上記構成のように、天面部１を構成する吸収体を主吸収体１３と副吸収体１４の二層構造とすることで、この天面部１における吸収量を増やすことができる。さらに、天面部１の吸収体の厚みが増して剛性が高いので、天面部１が幅方向に潰れたり、型崩れしにくくなる。また、主吸収体１３は天面部１及び左右の側面部２，３に位置することとし、副吸収体１４は天面部１にのみ位置することとしてもよい。これにより、天面部１との境界において左右の側面部２，３を折り曲げやすくなり、その結果、内部に空間４を有する吸収性物品の立体的形状を保ちやすくなる。
【００３５】
本発明において、第１の圧搾線３１が形成された天面部１には、空間４に繋がる貫通孔７が形成されていることが好ましい。
【００３６】
本発明では、前記のように、幅方向に延びる一又は複数の第１の圧搾線３１を天面部１に設けることで、天面部１の幅方向に剛性を高めて型崩れを防ぐこととしている。このため、天面部１に貫通孔７を設けた場合でも、貫通孔７が閉塞しにくく、孔としての機能を発揮することができる。また、天面部１に副吸収体１４を備えて二層構造とすることで、さらに幅方向に剛性が高まり、貫通孔７の閉塞を防ぐことができる。
【００３７】
本発明に係る吸収性物品において、吸収性本体１０は、左右の側面部２，３の下端が連結されていることが好ましい。さらに、吸収性物品の天面部１に位置する吸収体１３には、格子状の圧搾線４１が形成されていることが好ましい。ここにいう「格子状」とは、ある方向に延びる複数に圧搾線の群と、これとは異なる方向に延びる複数の圧搾線の群とが交差した状態を意味する。例えば「格子状」には、斜方形格子状や方形格子状が含まれる。また、圧搾線４１は、吸収体１３を肌対向面側と肌非対向面側いずれか一方又は両方から押圧することにより形成されたものであり、圧搾線４１に沿って吸収体１３には凹部が形成されることとなる。なお、格子状の圧搾線４１は、少なくとも吸収体１３の天面部１内に形成されていればよく、左右の側面部２，３に形成されていてもよいし、吸収体１３全体に形成されていてもよい。
【００３８】
上記構成のように、吸収体１３の天面部１に格子状の圧搾線４１を形成することで、特に吸収性物品の幅方向から加わる外力に対する天面部１の応力を高めることができる。これにより、吸収性本体１０の天面部１が潰れにくくなるため、着用者の股下及び内太腿により密着しやすくなり、また左右の側面部２，３の間の空間４も保持することができる。また、吸収体１３の天面部１に格子状の圧搾線４１を形成することで、天面部１に触れた体液が圧搾線４１に沿って拡散しやすくなる。これにより、天面部１から側面部２，３に亘って広い範囲で迅速に体液を吸収することができるため、尿漏れ防止効果を高めることができる。      
【００３９】
本発明において、格子状の圧搾線４１には、吸収性物品の幅方向に沿って延びるか、又は幅方向に対して１度以上４５度以下の範囲で傾斜した方向に沿って延びるものが含まれることが好ましい。
【００４０】
上記構成のように、格子状の圧搾線４１に、幅方向に沿って延びる線又は４５度以下で傾斜して延びる線が含まれていることで、幅方向に加わる外力に対する天面部１の応力をより効果的に高めることができる。
【００４１】
本発明の吸収性物品は、防漏シート２０が、左右の側面部２，３のうちの天面部１とは反対側の下端部５に、左右の側面部２，３に跨って取り付けられていることが好ましい。この防漏シート２０により、左右の側面部２，３の下端が連結される。さらに、左右の側面部２，３は、防漏シート２０が取り付けられた下端部５と天面部１との間に、防漏シート２０が取り付けられていない吸液部６を有することが好ましい。
【００４２】
上記構成のように、側面部２，３に液不透過性の防漏シート２０が添設することで、この側面部２，３に浸透した体液が防漏シート２０に到達して留まり、それ以上外部に染み出すことを防止できる。これにより、本吸収性物品を重ねた下着や使い捨ておむつを汚すことがない。また、吸収性物品を交換する際には防漏シート２０を掴んで引き抜けば良いため、手を汚さずに吸収性物品の交換が可能になる。さらに、左右の側面部２，３に防漏シート２０の存在しない吸液部６を設けることで、内太腿を伝って流れる体液をより確実に吸収することができる。
【００４３】
本発明において、吸収性本体１０は、天面部１に、吸収体１３（主吸収体）と厚み方向に重なった副吸収体１４をさらに有していることが好ましい。この場合に、吸収体１３と副吸収体１４は、それぞれ圧搾線４１，５１を複数有しており、それぞれの圧搾線４１，５１は、平面方向からみて少なくとも部分的に交差していることが好ましい。
【００４４】
上記構成のように，２つの吸収体１３，１４を厚み方向に積層して配置することで、天面部における吸収量を高めることができる。また、各吸収体１３，１４に圧搾線４１，５１を形成することで、体液の拡散性を高めることができる。そして、互いの圧搾線４１，５１を交差するように各吸収体１３，１４を配置することで、圧搾線が形成されていない領域（非圧搾領域）にも効果的に体液を浸透させることが可能となる。つまり、一方の吸収体の圧搾線に沿って拡散した体液が，他方の吸収体の非圧搾領域に吸収されやすくなる。このため、一方の吸収体の圧搾線に沿って拡散した体液が端部に到達しにくくなり、外部へと漏れ出す事態を効果的に防止できる。また、２層の吸収体１３，１４の広い範囲で体液を吸収できるようになるため、体液の吸収量が向上するとともに、長時間の着用であっても着用者に対して不快感を与えにくい。
【００４５】
本発明において、吸収体１３と副吸収体１４は、それぞれ、圧搾線４１，５１によって周囲を囲われた複数の非圧搾領域４２，５２と、圧搾線４１，５１が交差した複数の交点部４３，５３と、を有することが好ましい。さらに、吸収体１３と副吸収体１４の一方の交点部の少なくとも一部が、他方の非圧搾領域に重なることが好ましい。
【００４６】
上記構成のように，各吸収体１３，１４に形成された交点部４３，５３では圧搾線４１，５１が交差しているため，体液が滞留しやすくなっている。そこで，この一方の吸収体の交点部を他の吸収体の非圧搾領域に重ねることで，交点部に滞留した体液を非圧搾領域に効果的に浸透させることが可能となる。これにより、２層の吸収体１３，１４の両方を効率的に利用して、天面部１に排泄された尿などの体液を迅速に拡散することができる。
【００４７】
本発明において、天面部１には空間４に繋がる貫通孔７が形成されていることが好ましい。特に、貫通孔７は、天面部１のうち、格子状の圧搾線４１が形成された領域内に形成されていることが好ましい。
【００４８】
前述したとおり、本発明では、格子状の圧搾線４１を天面部１に設けることで、天面部１の幅方向に剛性を高めて型崩れを防ぐことができる。従って、この天面部１に貫通孔７を設けた場合でも、貫通孔７が閉塞しにくく、孔としての機能を発揮することができる。また、天面部１に主吸収体１３と副吸収体１４とを備えて二層構造とすることで、さらに幅方向に剛性が高まり、貫通孔７の閉塞を防ぐことができる。
【００４９】
本発明に係る吸収性物品は左右の側面部２，３に位置する吸収体１３に、複数の圧搾線４１が形成されていてもよい。
【００５０】
複数の圧搾線４１は、複数の平行な圧搾線であるか、閉じた領域を画定する複数の圧搾線であるか、又は閉じた領域を画定する複数の平行な圧搾線であることが好ましい。また、圧搾線４１は、格子状に形成されていてもよい。ここにいう「格子状」とは、ある方向に延びる複数に圧搾線の群と、これとは異なる方向に延びる複数の圧搾線の群とが交差した状態を意味する。例えば「格子状」には、斜方形格子状や方形格子状が含まれる。また、圧搾線４１は、吸収体１３を肌対向面側と肌非対向面側いずれか一方又は両方から押圧することにより形成されたものであり、圧搾線４１に沿って吸収体１３には凹部が形成されることとなる。なお、複数の圧搾線４１は、少なくとも吸収体１３の左右の側面部２，３内に形成されていればよく、天面部１に形成されていてもよいし、吸収体１３全体に形成されていてもよい。
【００５１】
上記構成のように、吸収体１３の側面部２，３に複数の圧搾線４１を形成することで、この側面部に付着又は浸透した体液を広い範囲に拡散させることができる。これにより、吸収体１３の全体で体液を吸収することができるため、内太腿を伝って流れる体液を吸収体１３で適切に吸収し、体液が外部に漏出することを効果的に防止できる。また、吸収体１３の側面部２，３に複数の圧搾線４１を形成することで、吸収性物に加わる外力に対する側面部２，３の応力を高めることができる。これにより、吸収性本体１０の側面部２，３が潰れにくくなるため、着用者の内太腿により密着しやすくなる。
【００５２】
本発明の吸収性物品は、防漏シート２０が、左右の側面部２，３のうちの天面部１とは反対側の下端部５に、左右の側面部２，３に跨って取り付けられていることが好ましい。この防漏シート２０により、左右の側面部２，３の下端が連結される。さらに、左右の側面部２，３は、防漏シート２０が取り付けられた下端部５と天面部１との間に、防漏シート２０が取り付けられていない吸液部６を有することが好ましい。
【００５３】
上記構成のように、側面部２，３に液不透過性の防漏シート２０が添設することで、この側面部２，３に浸透した体液が防漏シート２０に到達して留まり、それ以上外部に染み出すことを防止できる。これにより、本吸収性物品を重ねた下着や使い捨ておむつを汚すことがない。また、吸収性物品を交換する際には防漏シート２０を掴んで引き抜けば良いため、手を汚さずに吸収性物品の交換が可能になる。さらに、左右の側面部２，３に防漏シート２０の存在しない吸液部６を設けることで、内太腿を伝って流れる体液をより確実に吸収することができる。
【００５４】
本発明の吸収性物品において、圧搾線４１は、吸液部６に位置する吸収体１３に形成されていることが好ましい。
【００５５】
上記構成のように、吸液部６に複数の圧搾線４１を設けることで、防漏シート２０の裏側にこの圧搾線４１が隠れてしまうことを回避できる。これにより、吸液部６に付着又は浸透した体液が圧搾線４１に沿って広い範囲に拡散する。
【００５６】
本発明の吸収性物品において、圧搾線４１は、吸液部６から防漏シート２０が取り付けられた下端部５に亘って、吸収体１３に形成されていることが好ましい。
【００５７】
上記構成のように、吸液部６から下端部５へと繋がるように圧搾線４１が設けられていることで、吸液部６で吸収した体液を、圧搾線４１を通じて、防漏シート２０の裏に隠れている下端部５へと迅速に導くことができる。下端部５は防漏シート２０の裏に隠れているため、この下端部５に体液は浸透しにくいが、圧搾線４１がこの下端部５へと体液を運ぶ流路として機能する。これにより、さらに広い範囲に体液を拡散させることができる。
【００５８】
本発明の吸収性物品において、吸収性本体１０は、左右の側面部２，３に、吸収体１３と厚み方向に重なった副吸収体１４をさらに有していてもよい。この場合、副吸収体１４にも、圧搾線５１が形成されていることが好ましい。さらに、吸収体１３の圧搾線４１と副吸収体１４の圧搾線５１は、少なくとも部分的に交差している好ましい。
【００５９】
上記構成のように、左右の側面部２，３において、天面部１と左右の側面部２，３を構成する吸収体１３（以下「主吸収体」ともいう。）に加えて、さらに左右の側面部２，３において副吸収体１４を重ねることで、この側面部２，３による液体の吸収量が増加する。これにより、体液が多量に排泄された場合であっても、尿漏れを防止することができる。また、主吸収体１３と副吸収体１４の両方に圧搾線４１，５１を形成し、これらの圧搾線４１，５１を交差させることで、圧搾線が形成されていない領域（非圧搾領域）にも効果的に体液を浸透させることが可能となる。従って、一方の吸収体の圧搾線に沿って拡散した体液が、他方の吸収体の非圧搾領域に吸収されやすくなり、より広い範囲に体液を拡散させることができる。
【発明の効果】
【００６０】
本発明に係る吸収性物品は、側臥位又は半側臥位の姿勢を取る着用者の股下に隙間を生じさせずにフィットさせることができ、しかも内太腿を伝って流れる体液を適切に吸収して外部に漏出することを防止できる。
【図面の簡単な説明】
【００６１】
【図１】図１は、本発明に係る吸収性物品を模式的に示した斜視図である。
【図２】図２は、第１の実施形態に係る吸収性物品の構成要素を示した分解斜視図である。
【図３】図３は、第１の実施形態に係る吸収性物品の断面図である。
【図４】図４は、吸収性物品の使用状態を模式的に示している。
【図５】図５は、第１の実施形態に係る吸収性物品の製造方法の一例を示している。
【図６】図６は、第２の実施形態に係る吸収性物品の構成要素を示した分解斜視図である。
【図７】図７は、第２の実施形態に係る吸収性物品の断面図である。
【図８】図８は、第２の実施形態に係る吸収性物品の製造方法の一例を示している。
【図９】図９は、第３の実施形態に係る吸収性物品の構成要素を示した分解斜視図である。
【図１０】図１０は、第３の実施形態に係る吸収性物品の断面図である。
【図１１】図１１は、第３の実施形態に係る吸収性物品の製造方法の一例を示している。
【図１２】図１２は、他の実施形態に係る吸収性物品の断面形状を模式的に示している。
【図１３】図１３は、他の実施形態に係る吸収性物品の断面形状を模式的に示している。
【図１４】図１４は、他の実施形態に係る吸収性物品の断面形状を模式的に示している。
【図１５】図１５は、複数の吸収性物品を折り畳んで収容した製品の例を模式的に示している。
【図１６】図１６は、他の実施形態に係る吸収性物品の断面形状を模式的に示している。
【図１７】図１７は、他の実施形態に係る吸収性物品の製造方法の一部を示している。
【図１８】図１８は、図１７に示した実施形態に係る吸収性物品の断面図である。
【図１９】図１９は、本発明の第４の実施形態に係る吸収性物品を模式的に示した斜視図である。
【図２０】図２は、第４の実施形態に係る吸収性物品の構成要素を示した分解斜視図である。
【図２１】図２１は、第４の実施形態に係る吸収性物品の断面図である。
【図２２】図２２は、吸収性物品の使用状態を模式的に示している。
【図２３】図２３は、吸収体に形成された圧搾線を示した平面図である。
【図２４】図２４は、第４の実施形態に係る吸収性物品の製造方法の一例を示している。
【図２５】図２５は、第５の実施形態に係る吸収性物品の構成要素を示した分解斜視図である。
【図２６】図２６は、第５の実施形態に係る吸収性物品の断面図である。
【図２７】図２７は、第６の実施形態に係る吸収性物品の構成要素を示した分解斜視図である。
【図２８】図２８図２８（ａ）は、第６の実施形態にについて、吸収体に形成された圧搾線を示した平面図であり、図２８（ｂ）は、吸収性部品を幅方向の中央部で２つ折りにした状態を示した側面図である。
【図２９】図２９は、本発明に係る吸収性物品を模式的に示した斜視図である。
【図３０】図３０は、第７の実施形態に係る吸収性物品の構成要素を示した分解斜視図である。
【図３１】図３１は、第７の実施形態に係る吸収性物品の断面図である。
【図３２】図３２は、吸収性物品の使用状態を模式的に示している。
【図３３】図３３は、第７の実施形態に係る吸収性物品の製造方法の一例を示している。
【図３４】図３４は、第８の実施形態に係る吸収性物品の構成要素を示した分解斜視図である。
【図３５】図３５は、第８の実施形態に係る吸収性物品の断面図である。
【図３６】図３６は、第８の実施形態において、主吸収体と副吸収体を分離した状態を示している。
【図３７】図３７は、第８の実施形態において、主吸収体と副吸収体に形成された圧搾線のパターンを拡大して示している。
【図３８】図３８は、第９の実施形態において、主吸収体と副吸収体を分離した状態を示している。
【図３９】図３９は、第９の実施形態において、主吸収体と副吸収体に形成された圧搾線のパターンを拡大して示している。
【図４０】図４０は、本発明に係る吸収性物品を模式的に示した斜視図である。
【図４１】図４１は、第１０の実施形態に係る吸収性物品の構成要素を示した分解斜視図である。
【図４２】図４２は、第１０の実施形態に係る吸収性物品の断面図である。
【図４３】図４３は、吸収性物品の使用状態を模式的に示している。
【図４４】図４４は、第１０の実施形態に係る吸収性物品の製造方法の一例を示している。
【図４５】図４５は、第１１の実施形態に係る吸収性物品の構成要素を示した分解斜視図である。
【図４６】図４６は、第１１の実施形態に係る吸収性物品の断面図である。
【図４７】図４７は、第１１の実施形態において、主吸収体と副吸収体に形成された圧搾線のパターンの一例を拡大して示している。
【図４８】図４８は、第１１の実施形態において、主吸収体と副吸収体に形成された圧搾線のパターンの変形例を拡大して示している。
【図４９】図４９は、従来の尿とりパッドをＷ字状に折り畳んで股下に装着した状態を模式的に示している。
【図５０】図５０は、側臥位及び半側臥位の説明図である。
【発明を実施するための形態】
【００６２】
以下、図面を用いて本発明を実施するための形態について説明する。本発明は、以下に説明する形態に限定されるものではなく、以下の形態から当業者が自明な範囲で適宜変更したものも含む。
【００６３】
本願明細書において、「肌対向面」とは、吸収性物品の着用時において着用者の肌に対向する面を意味する。また、「肌非対向面」とは、吸収性物品の着用時において着用者の肌に対向しない面を意味している。
また、図に示した座標系において、「Ｄ」は吸収性物品の奥行き方向を示し、「Ｗ」は吸収性物品の幅方向を示し、「Ｈ」は吸収性物品の高さ方向を示している。
また、本願明細書において、「Ａ〜Ｂ」とは、「Ａ以上Ｂ以下」であることを意味する。
【００６４】
［１．第１の実施形態］
図１から図５を参照して、本発明に係る吸収性物品１００の第１の実施形態について説明する。図１は、本発明に係る吸収性物品１００の概要を示した斜視図である。図１に示されるように、本発明に係る吸収性物品１００は、内部に空間４を有する筒状の立体的形状をなしている。本実施形態では、１つの平面的な矩形状の吸収性本体１０の両端の裏面側を合掌合せにして、奥行き方向（Ｄ）に沿って延びる空間４を有する筒状に形成している。立体形状をなす吸収性本体１０は、着用者の股下に当接する面を有する天面部１と、この天面部１の左右両側から肌非対向面側に向かって延在する左右の側面部２，３（左側面部２及び右側面部３）と、これら左右の側面部２，３の間に形成される空間４を有している。この空間４は、着用者の腹側の端部から背側の端部に至るまで、奥行き方向（Ｄ）に沿って貫通したものとなっている。さらに、吸収性本体１０の左右の側面部２，３の下端部５には、液不透過性の防漏シート２０が取り付けられている。この防漏シート２０は、左右の側面部２，３に跨って接合されており、これら側面部２，３を連結する機能をも担っている。また、吸収性本体１０の天面部１には、内部の空間４に繋がる貫通孔７が形成されている。
【００６５】
続いて、吸収性物品１００を構成する各要素について具体的に説明する。図２は、吸収性物品１００の分解斜視図を示し、図３は、吸収性物品の断面図を示している。図２及び図３に示されるように、吸収性物品１００は、吸収性本体１０と、その下部に取り付けられた防漏シート２０とを備えている。
【００６６】
吸収性本体１０は、着用者の股下から排泄された体液を吸収し保持するための要素である。吸収性本体１０は、複数のシート部材の間に吸収体１３が介在する構成を有している。具体的には、吸収性本体１０は、吸収性物品１００の外面（肌対向面）を構成する外面シート１１と、吸収性物品１００の内面（肌非対向面）を構成する内面シート１２と、これらの両シート１１，１２の間に配設された吸収体１３とを有する。本実施形態において、外面シート１１、内面シート１２、及び吸収体１３は、矩形状に成型されている。ただし、外面シート１１、内面シート１２、及び吸収体１３の形状は矩形状に限られず、円形、楕円形、その他多角形状であってもよい。また、外面シート１１と内面シート１２は、吸収体１３よりも一回り大きい長さと幅を有しており、吸収体１３の周囲を囲うようにして、公知の接着剤や熱融着、超音波融着によって接合されている。このため、吸収体１３は、周囲を接合された外面シート１１と内面シート１２の内部に封入された状態となる。
【００６７】
外面シート１１は、着用者の肌に直接接し、尿などの体液を吸収体１３へ透過させるためのシート状の部材である。このため、外面シート１１は，柔軟性が高い液透過性材料で構成される。外面シート１１を構成する液透過性材料の例は、織布、不織布、又は多孔性フィルムである。また、外面シート１１としては、例えばポリプロピレンやポリエチレン、ポリエステル、ナイロンのような熱可塑性樹脂の繊維を親水化処理してさらに不織布にしたものを用いることとしてもよい。不織布としては、エアスルー不織布、ポイントボンド不織布、スパンボンド不織布、メルトブロー不織布などを挙げることができる。
【００６８】
内面シート１２は、着用者の肌に直接接することはないものの、天面部１の貫通孔７を通じて空間４内に導入された体液を吸収体１３へ透過させることのできる素材で形成されていることが好ましい。このため、内面シート１２は、外面シート１１と同様に、柔軟性が高い液透過性材料で構成されていることが好ましい。液透過性材料の例は前述したとおりである。ただし、内面シート１２は、必ずしも液透過性材料で形成されている必要はなく、液不透過性材料で形成されていてもよい。液不透過性材料の例は、ポリエチレン樹脂からなるプラスティックフィルムである。特に、内面シート１２を液不透過性のシート部材で形成する場合には、通気性を確保するために、０．１〜４μｍの微細な孔が複数形成された微多孔性ポリエチレンフィルムを用いることが好ましい。
【００６９】
吸収体１３は、尿などの体液を吸収し、吸収した体液を保持するための部材である。吸収体１３は、外面シート１１と内面シート１２の間に配置される。また、後述するように、外面シート１１と内面シート１２に配置される吸収体１３は、一層に限られず、二層以上であってもよい。また、吸収体１３は、外面シート１１と内面シート１２の間において位置がずれないように、外面シート１１と内面シート１２の両方又はいずれか一方に対してホットメルト接着剤などによって接合されていてもよい。吸収体１３は、基本的に、吸収性材料１３ａと、それを被覆するコアラップシート１３ｂによって構成されている。吸収性材料１３ａとしては、例えば、針葉樹や広葉樹などの繊維材料を解砕してなるフラッフパルプや、高吸水性ポリマー（ＳＡＰ）、親水性シートを用いることとしてもよい。また、吸収性材料１３ａとしては、フラッフパルプ、高吸水性ポリマー、又は親水性シートのうち１種類を単独で用いてもよいし、２種類以上を組合せて併用することもできる。一般的に、吸収性材料１３ａは、フラッフパルプの中に高吸水性ポリマーを散布したものによって構成される。コアラップシート１３ｂは、吸収性材料１３ａを覆うことによってその形状を保持するためのシート部材である。コアラップシート１３ｂとしては、液透過性を有するシート部材が用いられる。コアラップシート１３ｂの例は、ティッシュペーパのような薄葉紙や、公知の不織布を用いることができる。
【００７０】
防漏シート２０は、吸収性本体１０に吸収された体液が外部に漏出することを防ぐためのシート部材である。防漏シート２０は、体液を吸収した吸収性物品１００を着用者の股下から引き抜くときには、持ち手としても利用できる。このため、防漏シート２０は、吸収性本体１０の左右の側面部２，３の外面の少なくとも一部に取り付けられる。具体的には、防漏シート２０は、吸収性本体１０の左右の側面部２，３の下端部５の外面に取り付けられていることが好ましい。防漏シート２０は、体液の漏出を防止するために液不透過性材料によって構成される。液不透過性材料の例は、前述したとおり、ポリエチレン樹脂からなるプラスティックフィルムである。特に、液不透過性を維持しつつ通気性を確保するために、０．１〜４μｍの微細な孔が複数形成された微多孔性ポリエチレンフィルムを用いることが好ましい。
【００７１】
図２に示されたような展開状態から、外面シート１１、内面シート１２、及び吸収体１３を貼り合わせて吸収性本体１０を形成し、この吸収性本体１０の幅方向（Ｗ）の左右両端を内面シート１２側に向かって曲げて、その下端部を防漏シート２０によって綴じる。これにより、吸収性本体１０と防漏シート２０を備える吸収性物品１００は、図３に示されたような筒状の立体的形状となる。さらに、図３に示されるように、防漏シート２０が、吸収性本体１０の下端部５において、左側面部２と右側面部３とに跨って添設されている。このため、防漏シート２０は、吸収性本体１０の左側面部２と右側面部３とを連結する機能を担っているといえる。
【００７２】
図３に示された例においては、吸収性本体１０は、着用者の股下に当接する面を有する天面部１と、この天面部１の左右両側から肌非対向面側に向かって延在する左右の側面部２，３とが一体的に繋がっている。そして、天面部１と左右の側面部２，３の境界線上には、山折り目８が形成されている。これにより、吸収性本体１０の断面は、およそ逆三角形となる。また、左右の山折り目８の間には天面部１が位置することとなるが、この天面部１はほぼ平坦な面となっている。このように、天面部１に折り目を付けずに平坦な面とすることで、着用者の股下に天面部１が密着しやすくなる。なお、図３に示されるように、天面部１の幅方向（Ｗ）の長さＢは、例えば２０ｍｍ〜１５０ｍｍであることが好ましく、３０ｍｍ〜１００ｍｍであることが特に好ましい。
【００７３】
また、図３に示されるように、左右の側面部２，３は、それぞれ、防漏シート２０が接合された領域である下端部５と、この下端部５から天面部１（山折り目８）までの領域である吸液部６とに区分される。吸液部６には、防漏シート２０は接合されていない。このため、左右の側面部２，３は、吸液部６においては外面側から体液を吸収することができる。側臥位又は半側臥位の姿勢を取っている着用者の股下に吸収性物品１００を挟み込み、天面部１を着用者の股下に当接させると、左右の側面部２，３が着用者の両脚の内太腿に当接する。このため、左右の側面部２，３に外面側から体液の吸収が可能な吸液部６を形成することで、着用者の内太腿を伝って流れる体液を効果的に吸収することが可能となる。なお、吸液部６の高さ方向（Ｈ）の長さＴは、例えば２０ｍｍ〜２００ｍｍであることが好ましく、５０ｍｍ〜１５０ｍｍであることがより好ましい。なお、左右の側面部２，３は、下端部（防漏シート２０が配置されている側の端部）において、ホットメルト接着剤等によって互いに接着されていてもよい。
【００７４】
図１から図３に示されるように、吸収性本体１０の天面部１には貫通孔７が形成されており、この貫通孔７を通じて空間４の内部へと体液が導入されるようになっている。このため、図２に示されるように、貫通孔７は、天面部１を構成する外面シート１１、内面シート１２、及び吸収体１３の全てに形成されたものとなっている。貫通孔７は、吸収性本体１０の奥行き方向（Ｄ）に沿って延びる細長い形状に形成されていることが好ましい。貫通孔７の形状は特に限定されないが、図２等に示されるような略六角形状や、四角形状、楕円形状とすることもできる。また、貫通孔７は、単純な切れ目であってもよい。また、貫通孔７は、一端が吸収性本体１０の前端又は後端に達したスリット状のものであってもよいし、両端が吸収性本体１０の前端及び後端に達した割れ目状のものであってもよい。このように、貫通孔７を形成しておくことで、排泄された体液を外面シート１１側からだけでなく、内面シート１２側からも吸収体１３に透過させることができる。このため、一度に大量の体液が排泄された場合であっても尿漏れを効果的に防止できる。さらに、着用者が男性の場合には、陰茎を貫通孔７に挿し込むことで、尿の排泄方向をガイドしたり固定したりすることができる。
【００７５】
図４は、吸収性物品１００を着用者の股下に挟み込んだ状態の例を示している。図４に示されるように、吸収性本体１０のうち、平坦面をなす天面部１が着用者の股下に密着し、その左右両側に位置する側面部２，３が着用者の内太腿に密着する。さらに、左右の側面部２，３の間には空間４が保持されているため、吸収性本体１０は全体としてクッション性が高いものとなり、股下及び内太腿への密着状態が維持される。これにより、吸収性本体１０と着用者の肌との間に隙間が生じにくくなり、側臥位又は半側臥位の姿勢を取っている着用者に装着した場合であっても、天面部１側又は側面部２，３側からの尿漏れを効果的に防止できる。さらに、吸収性本体１０の下端部５には防漏シート２０が添設されているため、下着や、シーツ、あるいは重ねて装着している使い捨ておむつなどが汚れることを回避できる。また、吸収性物品１００の交換時には防漏シート２０を持ち手にして引き抜くことで、手を汚させずに簡単に交換作業を済ませることができる。
【００７６】
前述のように、本発明の吸収性物品１００は着用者の股下に挟み込んで使用することを想定したものであるため、従来の尿取りパッドのように着用者の腹部を覆う前身頃やその背部を覆う後身頃は不要である。このため、図１に示されるように、本発明の吸収性物品１００の奥行き方向（Ｄ）全体の長さＬは、８０ｍｍ〜２５０ｍｍ、又は１００ｍｍ〜２００ｍｍであれば十分である。本発明によれば、このようなコンパクトな吸収性物品を実現できる。
【００７７】
図５（ａ）から図５（ｅ）は、第１の実施形態に係る吸収性物品１００の製造工程の例を示している。図５では、V−V線における断面図を各図とともに示している。吸収性物品１００は、図５（ａ）から図５（ｅ）に示した手順で製造可能である。すなわち、まず矩形状の外面シート１１を用意する（図５（ａ））。なお、このとき外面シート１１には貫通孔７は形成されていない。次に、外面シート１１の肌非対向面側に、貫通孔７が形成された矩形状の吸収体１３を載置するとともに、さらに吸収体１３の肌非対向面側に内面シート１２を載置する（図５（ｂ））。このときに、吸収体１３の周囲において、外面シート１１と内面シート１２とを接合する。なお、吸収体１３を外面シート１１と内面シート１２の両方又はいずれか一方に接合してもよい。これにより吸収性本体１０が得られる。なお、この段階で外面シート１１に貫通孔７は形成されていない。次に、吸収性本体１０を、吸収体１３に形成された貫通孔７に沿って、内面シート１２側に向かって二つ折りする（図５（ｃ））。つまり、外面シート１１が外側になり内面シート１２が内側になるように二つ折りを行う。このとき、吸収体１３の貫通孔７が二つ折りの頂点に位置するようになる。その後、吸収体１３の貫通孔７が位置する頂点部分を切り落として、外面シート１１と内面シート１２にも、吸収体１３とほぼ同形状の貫通孔７を形成する（図５（ｄ））。このとき、外面シート１１と内面シート１２は吸収体１３の貫通孔７に重なっているため、吸収体１３の貫通孔７と同じ位置を切り落とすことで、外面シート１１と内面シート１２にも略同時に貫通孔７を形成することができる。その後、吸収性本体１０の下端部に相当する位置に、防漏シート２０を接合する（図５（ｅ））。その他、吸収性物品１００を構成する吸収性本体１０の適切な位置に、山折り目８（または後述する谷折り目９）を形成する工程を加えてもよい。また、二つ折りの頂点とは反対側の端部（つまり、防漏シート２０が配置される側の端部）を、ホットメルト接着剤等によって接着する工程を加えてもよい。
【００７８】
上記の製造工程に従うことで、貫通孔７の形成された吸収性物品１００を効率的に製造することができる。また、図５（ｃ）に示されるように、吸収体１３に貫通孔７を形成した後に、この貫通孔７に沿って吸収性本体１０全体を２つ折りにすることで、吸収性本体１０の天面部１に付く折り目を最小限に留めることができる。すなわち、前述のとおり、天面部１は、平坦面となり折り目が残っていないことが好ましいが、製造時に仕方なく生じる折り目を貫通孔７に沿って形成することで、天面部１に付く折り目を最小限に留めることができる。これにより、その着用時には折り目が殆ど天面部１に残っていない状態とすることも可能である。
【００７９】
［２．第２の実施形態］
続いて、図６から図８を参照して、本発明に係る吸収性物品１００の第２の実施形態について説明する。第２の実施形態については、前述した実施形態と同じ構成について説明を省略し、前述した実施形態と異なる構成を中心に説明を行う。
【００８０】
図６は、第２の実施形態に係る吸収性物品１００の分解斜視図を示し、図７は、第２の実施形態に係る吸収性物品１００の断面図を示している。図６及び図７に示されるように、第２の実施形態に係る吸収性物品１００は、第１の実施形態で説明した構成要素に加えて、副吸収体１４をさらに有している。
【００８１】
図７に示されるように、本実施形態において、副吸収体１４は、吸収性本体１０の天面部１に配置されている。特に、副吸収体１４は、吸収体１３（主吸収体）の肌非対向面側、すなわち吸収体１３と内面シート１２の間に配置されている。なお、副吸収体１４は、吸収体１３と同様に吸収性材料とコアラップシートから構成すればよい。本実施形態のように、天面部１において吸収体１３と副吸収体１４とを重ね合わせることで、この天面部１における体液の吸収量が増加する。このため、本実施形態は、天面部１に直接接する体液の量が多い女性向けの形態であるといえる。なお、副吸収体１４を天面部１に配設する場合、この副吸収体１４にも貫通孔７が形成される。また、図示は省略するが、副吸収体１４は、吸収体１３（主吸収体）の肌対向面側、すなわち吸収体１３と外面シート１１の間に配置することも可能である。
【００８２】
図８（ａ）から図８（ｅ）は、第２の実施形態に係る吸収性物品１００の製造工程の例を示している。図８では、VIII−VIII線における断面図を各図とともに示している。まず矩形状の外面シート１１を用意し、その肌非対向面側に貫通孔７が形成された吸収体１３（主吸収体）を載置する（図８（ａ））。次に、吸収体１３の肌非対向面側の天面部１に相当する位置に、貫通孔７が形成された副吸収体１４をさらに重ねる（図８（ｂ））。このとき、吸収体１３と副吸収体１４の貫通孔７の位置が揃うようにする。また、吸収体１３及び副吸収体１４の周囲において、外面シート１１と内面シート１２とを接合する。これにより吸収性本体１０が得られる。次に、吸収性本体１０を、吸収体１３に形成された貫通孔７に沿って、内面シート１２側に向かって二つ折りする（図８（ｃ））。つまり、外面シート１１が外側になり内面シート１２が内側になるように二つ折りを行う。このとき、吸収体１３の貫通孔７が二つ折りの頂点に位置するようになる。その後、吸収体１３の貫通孔７が位置する頂点部分を切り落として、外面シート１１と内面シート１２にも、吸収体１３及び副吸収体１４とほぼ同形状の貫通孔７を形成する（図８（ｄ））。その後、吸収性本体１０の下端部に相当する位置に、防漏シート２０を接合する（図８（ｅ））。その他、吸収性物品１００を構成する吸収性本体１０の適切な位置に、山折り目８（または後述する谷折り目９）を形成する工程を加えてもよい。
【００８３】
［３．第３の実施形態］
続いて、図９から図１１を参照して、本発明に係る吸収性物品１００の第３の実施形態について説明する。第３の実施形態については、前述した実施形態と同じ構成について説明を省略し、前述した実施形態と異なる構成を中心に説明を行う。
【００８４】
図９は、第３の実施形態に係る吸収性物品１００の分解斜視図を示し、図１０は、第３の実施形態に係る吸収性物品１００の断面図を示している。図９及び図１０に示されるように、第３の実施形態に係る吸収性物品１００は、第１の実施形態で説明した構成要素に加えて、２つの副吸収体１４をさらに有している。
【００８５】
図１０に示されるように、本実施形態において、副吸収体１４は、吸収性本体１０の左右の側面部２，３に一つずつに配置されている。特に、２つの副吸収体１４は、吸収体１３（主吸収体）の肌非対向面側、すなわち吸収体１３と内側シート１２の間に配置されている。なお、各副吸収体１４は、吸収体１３と同様に吸収性材料とコアラップシートから構成すればよい。本実施形態のように、左右の側面部２，３において吸収体１３と副吸収体１４とを重ね合わせることで、この側面部２，３における体液の吸収量が増加する。特に、各側面部２，３に配置された副吸収体１４によって、天面部１の貫通孔７を通じて空間４内に導入された体液を多量に吸収することができる。このため、本実施形態は、天面部１の貫通孔７に陰茎を差し込んで使用する男性向けの形態であるといえる。なお、図１０に示されるように、副吸収体１４は、少なくとも左右の側面部２，３の下端部５側において、吸収体１３に重ねて配置されていることが好ましい。ただし、副吸収体１４は、左右の側面部２，３の全体に亘って、吸収体１３に重ねて配置されていてもよい。また、図示は省略するが、副吸収体１４は、吸収体１３（主吸収体）の肌対向面側、すなわち吸収体１３と外面シート１１の間に配置することも可能である。
【００８６】
図１１（ａ）から図１１（ｅ）は、第３の実施形態に係る吸収性物品１００の製造工程の例を示している。図１１では、XI−XI線における断面図を各図とともに示している。まず矩形状の外面シート１１を用意し、その肌非対向面側に貫通孔７が形成された吸収体１３（主吸収体）を載置する（図１１（ａ））。次に、吸収体１３の肌非対向面側の側面部２，３に相当する位置に、さらに一つずつ副吸収体１４を重ねる（図１１（ｂ））。また、吸収体１３及び副吸収体１４の周囲において、外面シート１１と内面シート１２とを接合する。これにより吸収性本体１０が得られる。次に、吸収性本体１０を、吸収体１３に形成された貫通孔７に沿って、内面シート１２側に向かって二つ折りする（図１１（ｃ））。つまり、外面シート１１が外側になり内面シート１２が内側になるように二つ折りを行う。このとき、吸収体１３の貫通孔７が二つ折りの頂点に位置するようになる。その後、吸収体１３の貫通孔７が位置する頂点部分を切り落として、外面シート１１と内面シート１２にも、吸収体１３とほぼ同形状の貫通孔７を形成する（図１１（ｄ））。その後、吸収性本体１０の下端部に相当する位置に、防漏シート２０を接合する（図１１（ｅ））。その他、吸収性物品１００を構成する吸収性本体１０の適切な位置に、山折り目８（または後述する谷折り目９）を形成する工程を加えてもよい。
【００８７】
［４．吸収性物品の変形例］
続いて、図１２から図１４を参照して、吸収性物品の変形例について説明する。ここで説明する変形例は、前述した実施形態のいずれにも適用することができる。なお、図１２以降の図では、吸収性本体１０の断面形状を簡略化して示している。
【００８８】
図１２（ａ）は、前述した実施形態と同じであり、吸収性本体１０の断面形状が逆三角形となる例を示している。この例の場合、天面部１と左右の側面部２，３との境界線上に山折り目８が形成されている。このため、天面部１は平坦な面を形成している。防漏シート２０は、左右の側面部２，３の下端部５において、各側面部２，３に跨って添設されている。
【００８９】
図１２（ｂ）は、吸収性本体１０の断面形状が略Ｔ字形となる例を示している。この例の場合、天面部１と左右の側面部２，３の境界線上に山折り目８が形成されており、さらに、左右の側面部２，３の吸液部６に相当する位置に谷折り目９が形成されている。谷折り目９よりも下方の領域では、左右の側面部２，３が合掌合せ状に当接して真っ直ぐに延びている。なお、左右の側面部２，３が当接する領域においては、左右の側面部２，３の間の空間４を広く保つために、両者を接合しないことが好ましい。ただし、左右の側面部２，３が当接する部分をホットメルト接着剤などによって接合することも可能である。防漏シート２０は、左右の側面部２，３の下端部５に添設されている。このような略Ｔ字形の吸収性本体１０は、山折り目８及び谷折り目９に沿って折り畳むことで、平坦な天面部１に折り目を付けずにコンパクトに収納することができる。
【００９０】
図１２（ｃ）は、吸収性本体１０の断面形状が略水滴形となる例を示している。この例の場合、吸収性本体１０には折り目（山折り目及び谷折り目）が形成されておらず、吸収性本体１０が有する可撓性を利用して湾曲し、左右の両端部が防漏シート２０によって綴じられている。このため、吸収性本体１０のうち、着用者の股下に接触する面を持つ天面部１は、着用者の肌側に向かって全体的に膨出しており、図１２（ａ）や図１２（ｂ）に示した例のように平坦な面を有してはいない。なお、図１２（ｃ）に示した例のように、天面部１と左右の側面部２，３の境界線として折り目が形成されていない場合には、自然状態において、吸収性本体１０の幅方向に最大幅となる部位までの領域を天面部１として区画すればよい。防漏シート２０は、左右の側面部２，３の下端部５において、各側面部２，３に跨って添設されている。このような水滴形の吸収性本体１０は、クッション性が高く凹凸が無いため、肌触りが良く、着用者の肌に機械的な刺激を与えにくいというメリットがある。
【００９１】
図１２（ｄ）は、吸収性本体１０の断面形状が、上方において略円形状となり、下方において略矩形状となる例を示している。この例の場合、吸収性本体１０における左右の側面部２，３の吸液部６に谷折り目９が形成されている。この谷折り目９よりも上方の領域においては、折り目は形成されておらず、吸収性本体１０の可撓性を利用して湾曲しており、略断面円形状をなしている。このため、吸収性本体１０の天面部１は、着用者の肌側に向かって全体的に膨出しており、平坦な面を有してはいない。他方で、谷折り目９よりも下方の領域では、左右の側面部２，３が合掌合せ状に当接して真っ直ぐに延びている。この左右の側面部２，３が当接する部分は、ホットメルト接着剤などによって接合することも可能である。また、左右の側面部２，３が当接する部分は、吸収性物品１００を着用者の股下に抜き差しする際の持ち手として機能する。例えば図１２（ｄ）に示した例では、他の例と比較して、防漏シート２０が上方に向かって長く延出しており、より掴みやすくなっている。この図１２（ｄ）に示した例は、着用者の股下の狭い部位に吸収性物品１００を局所的に当てる必要がある場合に、使いやすいものであるといえる。
【００９２】
図１３（ａ）は、吸収性本体１０の断面形状が略円形となる例を示している。この例の場合、吸収性本体１０を完全に筒状にする。また、吸収性本体１０の外面の一部に防漏シート２０を添設する。そして、この防漏シート２０を添設した部位を左右の側面部２，３の下端部５とし、この下端部５とは反対側の部位を天面部１とし、下端部５と天面部１の間の領域を吸液部６とする。
【００９３】
図１３（ｂ）は、吸収性本体１０の断面形状が略逆Ω状となる例を示している。この例では、吸収性本体１０は、着用者の股下に当接する面を有する天面部１が、割れ目７´において左右に分割されている。天面部１の幅方向中央の割れ目７´に対応する位置においては、天面部１の肌非対向面側に向かって左右の側面部２，３が延在している。また、左右の側面部２，３の間には空間４が形成されている。天面部１の割れ目７´は、左右の側面部２，３の間の空間４に通じている。このため、この割れ目７´は、前述した貫通孔７と同様の機能を持つものであるといえる。また、天面部１と左右の側面部２，３の境界線上には、谷折り目９がそれぞれ形成されている。さらに、左右の側面部２，３は、それらの下端において一体的に繋がっており、左右の側面部２，３の境界線上には、山折り目８（折り返し線）が形成されている。このため、吸収性本体１０は最下端部位が閉じた状態となっている。換言すると、吸収性本体１０は、幅方向の中央で折り返されて山折り目８（折り返し線）が形成され、幅方向左右両側でさらに反対方向に折り曲げられて谷折り目９が形成された形状となっている。図１３（ｂ）に示した例において、左右の側面部２，３の互いに向かい合う面は、ホットメルト接着剤などによって部分的又は全体的に接合することとしてもよいし、全く接合しなくてもよい。特に、天面部１の割れ目７´を通じて体液を空間４内に導入したり、あるいは陰茎を空間４内に挿し込んで使用するためには、左右の側面部２，３の向かい合う面は接合しないこと、又は部分的な接合に留めることが好ましい。防漏シート２０は、左右の側面部２，３の下端部５において、各側面部２，３に跨って添設されている。このとき、防漏シート２０にも、左右の側面部２，３の境界線上の山折り目８（折り返し線）に対応する折り目を形成してもよい。図１３（ｂ）に示した例は、固形物であっても左右の側面部２，３の間の空間４内に収容することができる。このため、軟便などを溜めて処理するためのパッドとして好適に利用できる。
【００９４】
図１３（ｃ）は、図１３（ｂ）に示した例の更なる変形例である。図１３（ｃ）に示した例では、左側面部２と右側面部３が下端において分離されている。つまり、この例では、２つの吸収性本体１０が利用しており、左側の天面部１と左側面部２とを第１の吸収性本体１０で形成し、右側の天面部１と右側面部３とを第２の吸収性本体１０で形成する。第１の吸収性本体１０の左側面部２と第２の吸収性本体１０の右側面部３とを下端部５において防漏シート２０によって繋ぎ、これら２つの吸収性本体１０を連結している。図１３（ｃ）に示した例は、吸収性本体１０が左右で２つに分割されている以外は、基本的に図１３（ｂ）に示した例と同様である。
【００９５】
図１４（ａ）は、天面部１において吸収性本体１０が二層に重なるように一つの吸収性本体１０を折り曲げた例を示している。すなわち、この例では、天面部１において吸収性本体１０が二層に重なっており、上層の部位が左側面部２と一体的に繋がり、下層の部位が右側面部３と一体的に繋がっている。天面部１と左右の側面部２，３の境界線上には山折り目８が形成されていて、天面部１は略平坦な面を有している。また、左右の側面部２，３は下端において一体的に繋がっており、両者の境界線上には山折り目８が形成されている。このため、吸収性本体１０は断面形状が略逆三角形となる。防漏シート２０は、左右の側面部２，３の下端部５において、各側面部２，３に跨って添設されている。図１４（ａ）に示した例は、天面部１において吸収性本体１０が二層に重なるため、この天面部１における体液の吸収量を高めることができる。
【００９６】
図１４（ｂ）は、天面部１を構成する吸収性本体１０と左右の側面部２，３を構成する吸収性本体１０とが別々に設けられた例を示している。この例では、左右の側面部２，３を一つの吸収性本体１０によって構成しており、この吸収性本体１０を下端の山折り目８で折り曲げて略Ｖ字状とする。他方で、天面部１を構成する吸収性本体１０の幅方向左右両側と内側に向かって折り曲げて、左右の側面部２，３の上端部の外面側に重ね、この重なった部分を接着剤などで接合する。天面部１は、折り目のない平坦状とすることができる。このようにして、天面部１と左右の側面部２，３とを別々の吸収性本体１０によって構成することもできる。なお、防漏シート２０は、左右の側面部２，３の下端部５において、各側面部２，３に跨って添設されている。
【００９７】
図１４（ｃ）は、下端部５において吸収性本体１０が二層に重なるように一つの吸収性本体１０を折り曲げた例を示している。すなわち、この例では、天面部１と左右の側面部２，３が山折り目８を介して一体的に繋がっている。他方で、左側面部２をなす部位は、下端において内側に向かって折り返され、さらに右側面部３をなす部位は、下端において内側に向かって折り返されて左側面部２の外面に一部が重なっている。このように、左右の側面部２，３の下端側を折り返して二層に重ねることもできる。この場合、吸収性本体１０の下端部５における体液の吸収量を高めることができる。なお、防漏シート２０は、左右の側面部２，３の下端部５において、各側面部２，３に跨って添設されている。
【００９８】
図１４（ｄ）は、一つの吸収性本体１０を折り曲げて断面形状を略逆三角形状とし、その吸収性本体１０の端部の継ぎ目を右側面部３（又は左側面部２）に位置させた例を示している。すなわち、この例において、天面部１と左右の側面部２，３が山折り目８を介して一体的に繋がっている。また、左右の側面部２，３も下端において一体的に繋がっており、その境界線上には山折り目８が形成されている。ただし、この例において、右側面部３には、吸収性本体１０の端部の継ぎ目が位置している。そこで、この継ぎ目を覆うように、防漏シート２０が添設されている。このため、この例では、防漏シート２０は吸収性本体１０の右側面部３に相当する部位のみ取り付けられていることとなる。このように、防漏シート２０は、吸収性本体１０の下端部に限られず、吸収性本体１０の外面の少なくとも一部に取り付けられていればよい。
【００９９】
なお、図１２から図１４に示した例では、天面部１の貫通孔７の図示が省略されている。図１２から図１４に示した例においても、前述した第１から第３の実施形態と同様に、吸収性本体１０の天面部１に内部の空間４へと繋がる貫通孔７を形成することが可能である。
【０１００】
［５．吸収性物品が収容された製品］
図１５は、複数の吸収性物品１００が包装体２００の内部に収容された製品の例を模式的に示している。図１５では、包装体２００を概念的に直方体状又は立方体状の内部空間を有するものして描画している。包装体２００としては、袋状や箱状などの公知のものを適宜採用することができる。また、包装体２００としては、紙製、布製、ビニール製、プラスチック製などの公知のものを採用することができる。包装体２００としては、少なくとも２以上の吸収性物品１００を収容可能な内部空間を有するものであれば、特に制限なく適宜公知のものを採用できる。
【０１０１】
図１５（ａ）は、吸収性本体１０の断面形状が略Ｔ字形となる吸収性物品１００（図１２（ｂ）参照）を包装体２００の内部に収容した製品の例である。図１５（ａ）に示されるように、各吸収性物品１００は、天面部１と左右の側面部２，３の間に設けられた左右の山折り目８において折り返され、かつ左側面部２に設けられた谷折り目９において折り返された状態で、包装体２００内に並べられている。このように、各吸収性物品１００の天面部１を横倒しにした状態で並べることで、包装体２００内での収容時には、各天面部１に折り目を形成しなくて済む。これにより、天面部１の平坦な状態が維持されることとなるため、この天面部１を着用者の股下に当接させやすくなる。また、図１５（ａ）に示されるように吸収性物品１００を折り畳むことで、包装体２００内に複数の吸収性物品１００をコンパクトに収納できる。
【０１０２】
図１５（ｂ）は、吸収性本体１０の断面形状が略逆三角形状となる吸収性物品１００（図１２（ａ）など参照）を包装体２００の内部に収容した製品の例である。図１５（ｂ）に示されるように、各吸収性物品１００は、天面部１と左右の側面部２，３の間に設けられた左右の山折り目８において折り返されている。さらに、各吸収性物品１００は、左右の側面部２，３のうち、左側面部２（又は右側面部３）にのみ谷折り目９が形成され、この谷折り目９においても折り返されている。このように、図１５（ｂ）に示した例においても、各吸収性物品１００の天面部１を横倒しにした状態で並べることで、包装体２００内での収容時には、各天面部１に折り目を形成しなくて済むようになる。
【０１０３】
図１６は、包装体２００内での収容時における吸収性物品１００の変形例を示している。図１６に示された例において、防漏シート２０は、吸収性本体１０の下端部５に剥離不能に接合された固定部２１と、この固定部２１の左右いずれかの一端から延出した延出部２２とを有している。天面部１を横倒しにするように吸収性本体１０を折り畳んだ状態において、防漏シート２０の延出部２２は、この吸収性本体１０の天面部１を覆うことのできる延出長さを有するものとなっている。延出部２２は、天面部１を覆った状態で、この天面部１又は側面部２，３に対して部分的に剥離可能に仮接着されていてもよい。このように、包装体２００内に収容した状態において、防漏シート２０の一部（延出部２２）によって吸収性本体１０の天面部１を被覆することで、この天面部１の衛生状態を保つことができる。また、図１６に示されるように、防漏シート２０は、固定部２１と延出部２２の間にミシン目２３が形成されており、このミシン目２３に沿って固定部２１と延出部２２とを切り離すことができるようになっていてもよい。使用時には延出部２２を固定部２１から切り離して廃棄することで、延出部２２が邪魔になることもない。
【０１０４】
［６．吸収性物品の更なる変形例］
図１７は、吸収性物品の更なる変形例を示した平面図である。また、図１８は、図１７に示されたXVIII−XVIIIにおける断面形状を模式的に示した断面図である。
【０１０５】
図１７は、（ａ）、（ｂ）、（ｃ）の順に吸収性本体１０を折り畳んで、最終的には（ｃ）に示した状態とする様子を示している。図１７（ａ）に示された展開状態においては、吸収性本体１０は、奥行き方向（Ｄ）の前側（着用者の腹側）に位置する前側部１０ａと、奥行き方向（Ｄ）の後側（着用者の背側）に位置する後側部１０ｂと、それらの間に位置する中央部１０ｃとに区分されている。図１７に示した例では、吸収性本体１０の奥行き方向（Ｄ）の全体長さを１００％としたときに、中央部１０ｃの長さが１０％〜５０％程度とされており、残りの長さ部分を前側部１０ａと後側部１０ｂとで二分している。また、吸収性本体１０の前側部１０ａと後側部１０ｂは、中央部１０ｃと比較して、幅方向（Ｗ）の長さが長くなっている。言い換えると、吸収性本体１０は、前側部１０ａと後側部１０ｂの両方に、中央部１０ｃよりも幅方向（Ｗ）左右外側に向かって延出した左右のフラップ部１０Ｌ，１０Ｒを有している。このため、吸収性本体１０は、平面視において略砂時計型のような形状となる。なお、図１７に示した例では、右フラップＲは、左フラップＬよりも、中央部１０ｃから幅方向（Ｗ）外側に向かって長く延出している。
【０１０６】
また、図１７（ａ）に示されるように、吸収性本体１０の吸収体１３には、圧搾線１３ｃが斜方形格子状のパターンで形成されていてもよい。圧搾線１３ｃとは、吸収体１３を肌対向面側と肌非対向面側いずれか一方又は両方から押圧することにより形成されたものであり、圧搾線１３ｃに沿って吸収体１３には凹部が形成されることとなる。また、斜方形格子状のパターンとは、平面視において奥行き方向（Ｄ）及び幅方向（Ｗ）に対して傾斜した方向（斜め方向）に延びる複数の圧搾線１３ｃが交差して、斜方形（菱形）の非圧搾領域が区画されるパターンをいう。このように、吸収体１３に複数の圧搾線１３ｃを形成することで、吸収体１３の表面に接した体液の拡散性を高めることができるとともに、吸収性本体１０全体の強度や保型性を高めることができる。なお、図示は省略するが、吸収体１３には、圧搾線１３ｃを方形格子状のパターンで形成することもできる。ここにいう方形格子状のパターンとは、奥行き方向と平行に延びる複数の圧搾線１３ｃと幅方向と平行に延びる複数の圧搾線１３ｃとが交差して、方形（四角形）の非圧搾領域が区画されるパターンをいう。
【０１０７】
次に、図１７（ｂ）に示されるように、吸収性本体１０のうち、前側部１０ａと後側部１０ｂにおける左フラップ部１０Ｌを含む部位を、幅方向（Ｗ）の内側に向かって肌対向面側に折り返す。その後、図１７（ｃ）に示されるように、吸収性本体１０のうち、前側部１０ａと後側部１０ｂにおける右フラップ部１０Ｒを含む部位を、幅方向（Ｗ）の内側に向かって肌対向面側に折り返す。このとき、左フラップ部１０Ｌと右フラップ部１０Ｒとを上下に重ねて、互いに重なった部分をホットメルト接着剤等によって接合する。そうすると、図１７（ｃ）に示されるように、吸収性本体１０の中央部１０ｃにおいて、前側部１０ａのフラップ部１０Ｌ，１０Ｒと後側部１０ｂのフラップ部１０Ｌ，１０Ｒの間に、貫通孔７が形成されることとなる。この貫通孔７は、前述した各実施形態における貫通孔７に相当する機能を持つ。
【０１０８】
図１８は、図１７（ｃ）に示した状態の断面形状を示している。図１８に示されるように、図１７（ａ）〜（ｃ）に示した工程に従って吸収性本体１０を折り曲げた場合にも、内部に空間を有する筒状の立体的形状をなす吸収性物品１００を得ることができる。図１８に示されるように、前側部１０ａと後側部１０ｂの左右のフラップ部１０Ｌ，１０Ｒが、吸収性本体１０の天面１を形成する。また、この天面部１には、内部空間に通じる貫通孔７が形成されている。また、左右のフラップ部１０Ｌ，１０Ｒの幅方向内側部分が、吸収性本体１０の左右の側面部２，３を形成する。また、吸収性本体１０の幅方向中央部には、その奥行き方向に沿って山折り目８が形成される。さらに、吸収性本体１０の側面部２，３の下端部５には、左右の側面部２，３に跨って防漏シート２０が添設されている。このように、図１７に示した方法によっても、天面部１に貫通孔７を有する立体的形状の吸収性物品１００を得ることができる。
【０１０９】
［７．第４の実施形態］
続いて、図１９から図２４を参照して、本発明に係る吸収性物品１００の第４の実施形態について説明する。第４の実施形態については、前述した実施形態と同じ構成について説明を省略し、前述した実施形態と異なる構成を中心に説明を行う。
【０１１０】
図１９は、本発明の第４の実施形態に係る吸収性物品１００の概要を示した斜視図である。図１９に示されるように、本発明に係る吸収性物品１００は、内部に空間４を有する筒状の立体的形状をなしている。本実施形態では、１つの平面的な矩形状の吸収性本体１０の両端の裏面側を合掌合せにして、奥行き方向（Ｄ）に沿って延びる空間４を有する筒状に形成している。立体形状をなす吸収性本体１０は、着用者の股下に当接する面を有する天面部１と、この天面部１の左右両側から肌非対向面側に向かって延在する左右の側面部２，３（左側面部２及び右側面部３）と、これら左右の側面部２，３の間に形成される空間４を有している。この空間４は、着用者の腹側の端部から背側の端部に至るまで、奥行き方向（Ｄ）に沿って貫通したものとなっている。さらに、吸収性本体１０の左右の側面部２，３の下端部５には、液不透過性の防漏シート２０が取り付けられている。この防漏シート２０は、左右の側面部２，３に跨って接合されており、これら側面部２，３を連結する機能をも担っている。また、吸収性本体１０の天面部１には、内部の空間４に繋がる貫通孔７が形成されている。
【０１１１】
図２０は、吸収性物品１００の分解斜視図を示し、図２１は、吸収性物品の断面図を示している。図２及び図２１に示されるように、吸収性物品１００は、吸収性本体１０と、その下部に取り付けられた防漏シート２０とを備える。
【０１１２】
図２０に示されたような展開状態から、外面シート１１、内面シート１２、及び吸収体１３を貼り合わせて吸収性本体１０を形成し、この吸収性本体１０の幅方向（Ｗ）の左右両端を内面シート１２側に向かって曲げて、その下端部を防漏シート２０によって綴じる。これにより、吸収性本体１０と防漏シート２０を備える吸収性物品１００は、図１９及び図２１に示されたような筒状の立体的形状となる。さらに、図２１に示されるように、防漏シート２０が、吸収性本体１０の下端部５において、左側面部２と右側面部３とに跨って添設されている。このため、防漏シート２０は、吸収性本体１０の左側面部２と右側面部３とを連結する機能を担っているといえる。
【０１１３】
図２２は、吸収性物品１００を着用者の股下に挟み込んだ状態の例を示している。図２２に示されるように、吸収性本体１０のうち、平坦面をなす天面部１が着用者の股下に密着し、その左右両側に位置する側面部２，３が着用者の内太腿に密着する。さらに、左右の側面部２，３の間には空間４が保持されているため、吸収性本体１０は全体としてクッション性が高いものとなり、股下及び内太腿への密着状態が維持される。これにより、吸収性本体１０と着用者の肌との間に隙間が生じにくくなり、側臥位又は半側臥位の姿勢を取っている着用者に装着した場合であっても、天面部１側又は側面部２，３側からの尿漏れを効果的に防止できる。さらに、吸収性本体１０の下端部５には防漏シート２０が添設されているため、下着や、シーツ、あるいは重ねて装着している使い捨ておむつなどが汚れることを回避できる。また、吸収性物品１００の交換時には防漏シート２０を持ち手にして引き抜くことで、手を汚させずに簡単に交換作業を済ませることができる。
【０１１４】
図１９から図２３に示されるように、本発明の吸収性物品１００は、吸収体１３に複数の圧搾線３１，３２，３３が形成されている。各圧搾線は、吸収体１３を部分的に厚み方向に窪ませることにより形成されている。特に、各圧搾線は、肌対向面側と肌非対向面側の両側又はいずれか一方側から吸収体１３を部分的に押圧して圧縮することによって形成することが可能である。このため、圧搾線が形成された部位においては、吸収体１３を構成する吸収性材料１３ａの密度が高まることとなる。このように、吸収体１３に圧搾線を形成することで、吸収体１３は、圧搾線に沿って折れ曲がりやすくなる。また、圧搾線が形成された部位において吸収性材料１３ａの密度が高まるため、吸収体１３は、圧搾線の延在方向と平行な方向に加わる外力に対する応力が向上する。また、圧搾線が形成された部位において吸収体１３は部分的に窪んでいるため、この圧搾線に沿って体液が流れることとなり、圧搾線の延在方向に体液が拡散しやすくなる。なお、圧搾線は、吸収体１３の肌対向面側に形成されていてもよいし、肌非対向面側に形成されていてもよいし、これらの両側に形成されていてもよい。以下では、吸収体１３に形成された圧搾線のパターンについてより詳しく説明する。
【０１１５】
図２３は、吸収体１３に形成されている圧搾線のパターンを説明するための図であり、吸収体１３の展開状態を示している。図２３に示されるように、吸収体１３には、吸収性本体１０の天面部１に相当する部位に、幅方向に沿って延びる第１の圧搾線３１が形成されている。第１の圧搾線３１は、奥行き方向に所定の間隔をおいて複数形成されており、第１の圧搾線３１のそれぞれは幅方向と平行な直線状となっている。複数の第１の圧搾線３１の間隔は特に限定されないが、例えば第１の圧搾線３１同士の間隔は３ｍｍ〜３０ｍｍ又は５ｍｍ〜２０ｍｍであることが好ましい。基本的に、第１の圧搾線３１は、天面部１の幅方向全域に亘って延在している。すなわち、第１の圧搾線３１は、天面部１と左側面部２の境界及び天面部１と右側面部３の境界にまで達していることが好ましい。また、前述したとおり、天面部１には貫通孔７が形成されている。この場合には、第１の圧搾線３１は、貫通孔７の周縁にまで達していることが好ましい。
【０１１６】
このように、天面部１に幅方向に沿った複数の第１の圧搾線３１を形成することで、幅方向から加わる外力に対する天面部１の応力を高めることができる。天面部１の応力を向上させることで、天面部１やその下方に位置する空間４が潰れにくくなるため、吸収性本体１０が着用者の股下及び内太腿により密着しやすくなり、空間４の形状も保持することができる。また、吸収体１３の天面部１に幅方向に延びる第１の圧搾線３１を形成することで、天面部１に触れた体液が幅方向に拡散しやすくなる。これにより、天面部１から側面部２，３に亘って広い範囲で迅速に体液を吸収することができるため、尿漏れ防止効果を高めることができる。
【０１１７】
また、図２３に示されるように、吸収体１３には、吸収性本体１０の天面部１と左右の側面部２，３の境界（即ち山折り目８）に相当する位置に、奥行き方向に延びる第２の圧搾線３２が形成されている。このため、吸収性本体１０は、吸収体１３に形成された第２の圧搾線３２に沿って折れ曲がることとなる。つまり、吸収性本体１０の山折り目８は、吸収体１３の第２の圧搾線３２に対応した形状となる。図２３に示されるように、第２の圧搾線３２は、吸収体１３の奥行き方向の略全域に亘って延在している。例えば、吸収体１３の奥行き方向の長さを１００％とした場合に、第２の圧搾線３２は、奥行き方向の８０〜１００％又は９０〜１００％の長さ範囲に亘って延在していることが好ましい。
【０１１８】
また、左右一対の第２の圧搾線３２は、それぞれ、幅方向の外側に向かって張り出す円弧状に形成されている。つまり、左右一対の第２の圧搾線３２同士の間の間隔は、奥行き方向の前端部分及び後端部分において最も狭くなり、奥行き方向の中央部分において最も広くなる。このように、左右の第２の圧搾線３２をそれぞれ円弧状とすることで、この第２の圧搾線３２同士の間の領域である天面部１は、平面視において略楕円形状となる。そして、円弧状の第２の圧搾線３２によって天面部１を画定すると、この第２の圧搾線３２に沿って吸収性本体１０を折り曲げたときに、天面部１は、図１９に示されるように、奥行き方向の前端部分と後端部分が立ち上がる形状となる。つまり、図１９に示されるように吸収性本体１０が筒状の立体的形状をなしている状態において、天面部１の奥行き方向の前端両端部分は、奥行き方向の中央部分と比べて上方に位置する。第２の圧搾線３２を円弧状とすることで、このような天面部１の状態を自然に保持できる。天面部１の奥行き方向の前端部分は、中央部分と比べて細くなっており、しかも上方に立ち上がっているため、着用者の下腹部に適切にフィットする。また、天面部１の奥行き方向の後端部分も、中央部分と比べて細くなっており、しかも上方に立ち上がっているため、着用者の臀部に適切にフィットする。これにより、尿や便が漏洩することをより効果的に防止できる。
【０１１９】
また、図１９や図２３に示されるように、第１の圧搾線３１は、左側の第２の圧搾線３２から右側の第２の圧搾線３２に至るまで形成されているか、若しくは中央の貫通穴７から左右の第２の圧搾線３２に至るまで形成されている。このように、天面部１の幅方向の略全域に亘って第１の圧搾線３１を形成しておくことで、第２の圧搾線３２が画定する天面部１の形状を保持することができる。つまり、第１の圧搾線３１が形成された部位では吸収性材料の密度が高くなっているため、吸収体１３は幅方向からの外圧に対する応力が強い。従って、第２の圧搾線３２によって画定された天面部１は、着用者の両脚の間に挟み込まれている状態であっても、第１の圧搾線３１の作用により潰れにくく平面的な状態を維持できる。
【０１２０】
さらに、図２３に示されるように、吸収体１３には、左側面部２及び右側面部３のそれぞれに、奥行き方向に延びる複数の第３の圧搾線３３が形成されている。複数の第３の圧搾線３３には、展開状態において第２の圧搾線３２と同じ方向に向かって張り出した円弧状の圧搾線３３ａと、奥行き方向と平行に延びる直線状の圧搾線３３ｂが含まれる。円弧状の圧搾線３３ａは、吸収性本体１０が筒状の立体的形状をなしている状態（図１９参照）には、下方に向かって張り出した円弧状であるといえる。このように、左右の側面部２，３に円弧状の圧搾線３３ａを形成しておくことで、天面部１が奥行方向に反って曲がり、立体的になるために必要な変形を側面部２，３に与えることができ、天面部１と着用者の下腹部または臀部との間に隙間をつくらないので漏れを防止することができる。さらに、この円弧状の圧搾線３３ａから第２の圧搾線３２までの間の領域において、左右の側面部２，３が外側に膨らんだ状態を保持しやすくなり、その結果、吸収性本体１０の内部の空間４が広く確保されるため、多量の尿や便を捕集することが可能となる。また、左右の側面部２，３に直線状の圧搾線３３ｂを形成しておくことで、奥行き方向からの外圧に対する応力を向上させることができる。第３の圧搾線３３に含まれる円弧状の圧搾線３３ａや直線状の圧搾線３３ｂは、第２の圧搾線３２と同様に、吸収体１３の奥行き方向の長さを１００％とした場合に、奥行き方向の８０〜１００％又は９０〜１００％の長さ範囲に亘って延在していることが好ましい。
【０１２１】
図２４（ａ）から図２４（ｅ）は、第４の実施形態に係る吸収性物品１００の製造工程の例を示している。図２４では、XXIV−XXIV線における断面図を各図とともに示している。吸収性物品１００は、図２４（ａ）から図２４（ｅ）に示した手順で製造可能である。すなわち、まず矩形状の外面シート１１を用意する（図２４（ａ））。なお、このとき外面シート１１には貫通孔７は形成されていない。次に、外面シート１１の肌非対向面側に、貫通孔７が形成された矩形状の吸収体１３を載置するとともに、さらに吸収体１３の肌非対向面側に内面シート１２を載置する（図２４（ｂ））。この段階で、吸収体１３には前述したパターンで複数の圧搾線３１，３２，３３を形成しておく。また、吸収体１３の周囲において、外面シート１１と内面シート１２とを接合する。なお、吸収体１３を外面シート１１と内面シート１２の両方又はいずれか一方に接合してもよい。これにより吸収性本体１０が得られる。なお、この段階で外面シート１１に貫通孔７は形成されていない。次に、吸収性本体１０を、吸収体１３に形成された貫通孔７に沿って、内面シート１２側に向かって二つ折りする（図２４（ｃ））。つまり、外面シート１１が外側になり内面シート１２が内側になるように二つ折りを行う。このとき、吸収体１３の貫通孔７が二つ折りの頂点に位置するようになる。その後、吸収体１３の貫通孔７が位置する頂点部分を切り落として、外面シート１１と内面シート１２にも、吸収体１３とほぼ同形状の貫通孔７を形成する（図２４（ｄ））。このとき、外面シート１１と内面シート１２は吸収体１３の貫通孔７に重なっているため、吸収体１３の貫通孔７と同じ位置を切り落とすことで、外面シート１１と内面シート１２にも略同時に貫通孔７を形成することができる。その後、吸収性本体１０の下端部に相当する位置に、防漏シート２０を接合する（図２４（ｅ））。その他、吸収体１３に円弧状の第２の圧搾線３２が形成されている位置に、山折り目８を形成する工程を加えてもよい。また、二つ折りの頂点とは反対側の端部（つまり、防漏シート２０が配置される側の端部）を、ホットメルト接着剤等によって接着する工程を加えてもよい。
【０１２２】
上記の製造工程に従うことで、貫通孔７の形成された吸収性物品１００を効率的に製造することができる。また、図２４（ｃ）に示されるように、吸収体１３に貫通孔７を形成した後に、この貫通孔７に沿って吸収性本体１０全体を２つ折りにすることで、吸収性本体１０の天面部１に付く折り目を最小限に留めることができる。すなわち、前述のとおり、天面部１は、平坦面となり折り目が残っていないことが好ましいが、製造時に仕方なく生じる折り目を貫通孔７に沿って形成することで、天面部１に付く折り目を最小限に留めることができる。これにより、その着用時には折り目が殆ど天面部１に残っていない状態とすることも可能である。
【０１２３】
［８．第５の実施形態］
続いて、図２５及び図２６を参照して、本発明に係る吸収性物品１００の第５の実施形態について説明する。第５の実施形態については、前述した実施形態と同じ構成について説明を省略し、前述した実施形態と異なる構成を中心に説明を行う。
【０１２４】
図２５は、第５の実施形態に係る吸収性物品１００の分解斜視図を示し、図２６は、第５の実施形態に係る吸収性物品１００の断面図を示している。図２５及び図２６に示されるように、第５の実施形態に係る吸収性物品１００においては、吸収体１３が、主吸収体１３と副吸収体１４とを積層した構造となっている。
【０１２５】
図２６に示されるように、本実施形態において、主吸収体１３は、吸収性本体１０の天面部１及び左右の側面部２，３に位置している。つまり、第５の実施形態における主吸収体１３は、前述した第４の実施形態における吸収体１３と略同様の構成を持つ。他方で、副吸収体１４は、吸収性本体１０の天面部１にのみ配置されている。特に、副吸収体１４は、主吸収体１３の肌非対向面側、すなわち主吸収体１３と内面シート１２の間に配置されている。なお、副吸収体１４は、主吸収体１３と同様に吸収性材料とコアラップシートから構成すればよい。本実施形態のように、天面部１において主吸収体１３と副吸収体１４とを重ね合わせることで、この天面部１における体液の吸収量が増加する。このため、本実施形態は、天面部１に直接接する体液の量が多い女性向けの形態であるといえる。なお、本実施形態においては、主吸収体１３と副吸収体１４の両方に貫通孔７が形成されており、両方の貫通孔７が空間４に繋がっている。なお、図示は省略するが、副吸収体１４は、主吸収体１３の肌対向面側、すなわち主吸収体１３と外面シート１１の間に配置することも可能である。
【０１２６】
また、図２５及び図２６に示されるように、本実施形態において、天面部１に位置する副吸収体１４には、幅方向に沿って延びる第１の圧搾線３１が形成されている。第１の圧搾線３１は、奥行き方向に所定の間隔をおいて複数形成されており、第１の圧搾線３１のそれぞれは幅方向と平行な直線状となっている。天面部１に形成された第１の圧搾線３１の作用については、前述のとおりである。つまり、天面部１に位置する副吸収体１４に複数の第１の圧搾線３１を形成することで、幅方向からの外力に対する応力が高まると共に、この第１の圧搾線３１によって体液を広く迅速に拡散することができる。
【０１２７】
また、本実施形態において、主吸収体１３には、左側面部２及び右側面部３のそれぞれに、奥行き方向に延びる複数の第３の圧搾線３３が形成されている。主吸収体１３に形成された第３の圧搾線３３は、奥行き方向と平行に延びる直線状に形成されている。左右の側面部２，３に直線状の第３の圧搾線３３を形成しておくことで、奥行き方向からの外圧に対する応力を向上させることができる。
【０１２８】
上記のとおり、本実施形態では、副吸収体１４に幅方向に延びる第１の圧搾線３１が形成され、主吸収体１３に奥行き方向に延びる第３の圧搾線３３が形成されている。ただし、例えば、主吸収体１３に幅方向に延びる第１の圧搾線３１と行き方向に延びる第３の圧搾線３３の両方を形成することも可能である。
【０１２９】
［９．第６の実施形態］
続いて、図２７及び図２８を参照して、本発明に係る吸収性物品１００の第６の実施形態について説明する。図２７は、第６の実施形態に係る吸収性物品１００の分解斜視図を示し、図２８は、第６の実施形態に係る吸収性物品１００の展開図及び側面図を示している。第６の実施形態は、前述した第４の実施形態の変形例に相当するものであり、基本的な構成要素は同じである。ただし、第６の実施形態は、吸収性物品１００の展開状態における外形が円形となっている点において、第４の実施形態と異なる。
【０１３０】
図２７に示されるように、第６の実施形態においては、外面シート１１、内面シート１２、及び吸収体１３が平面視において円形（又は楕円形）に成型されている。このため、図２８（ａ）の平面図に示されるように、外面シート１１と内面シート１２の間に吸収体１３を積層した吸収性本体１０も、展開状態においては平面視においてその外形が円形（又は楕円形）となる。また、図２８（ｂ）の側面図に示されるように、吸収性本体１０の左右の側面部２，３の下端部５には、防漏シート２０が左右の側面部２，３に跨って取り付けられる。このように、吸収性本体１０を円形に成型することで、吸収性本体１０を矩形に成型した場合と比較して、奥行き方向の前端部分下方と後端部分下方の角をなくすことができる。このため、吸収性本体１０を円形に成型することで、吸収性物品１００全体のサイズをコンパクトにすることができる。また、吸収性本体１０を矩形に成型した実施形態では、奥行き方向の前端部分下方と後端部分下方には角が残ることになり、この角が下着等に引っかかって吸収性物品１００を股下に挟みにくくなる場合がある。これに対して、本実施形態のように、吸収性本体１０を円形に成型することで、奥行き方向の前端部分下方と後端部分下方の縁が円弧状となるため、着用時に衣服に引っ掛かりにくくなり、スムーズに脱着することができる。なお、吸収性本体１０の外形を矩形（第４の実施形態）とするか円形（第６の実施形態）とするかは、吸収性物品１００の用途に合せて適宜変更すればよい。
【０１３１】
［１０．第７の実施形態］
続いて、図２９から図３３を参照して、本発明に係る吸収性物品１００の第７の実施形態について説明する。第７の実施形態については、前述した実施形態と同じ構成について説明を省略し、前述した実施形態と異なる構成を中心に説明を行う。
【０１３２】
図２９は、本発明に係る吸収性物品１００の概要を示した斜視図である。図２９に示されるように、本発明に係る吸収性物品１００は、内部に空間４を有する筒状の立体的形状をなしている。本実施形態では、１つの平面的な矩形状の吸収性本体１０の両端の裏面側を合掌合せにして、奥行き方向（Ｄ）に沿って延びる空間４を有する筒状に形成している。立体形状をなす吸収性本体１０は、着用者の股下に当接する面を有する天面部１と、この天面部１の左右両側から肌非対向面側に向かって延在する左右の側面部２，３（左側面部２及び右側面部３）と、これら左右の側面部２，３の間に形成される空間４を有している。この空間４は、着用者の腹側の端部から背側の端部に至るまで、奥行き方向（Ｄ）に沿って貫通したものとなっている。さらに、吸収性本体１０の左右の側面部２，３の下端部５には、液不透過性の防漏シート２０が取り付けられている。この防漏シート２０は、左右の側面部２，３に跨って接合されており、これら側面部２，３を連結する機能をも担っている。また、吸収性本体１０の天面部１には、内部の空間４に繋がる貫通孔７が形成されている。
【０１３３】
図３０は、吸収性物品１００の分解斜視図を示し、図３１は、吸収性物品の断面図を示している。図２９から図３１に示されるように、吸収性物品１００は、吸収性本体１０と、その下部に取り付けられた防漏シート２０とを備えている。
【０１３４】
図３０に示されるように、吸収体１３は、少なくとも天面部１に、格子状の圧搾線４１が形成されている。圧搾線４１は、吸収体１３を部分的に圧縮することにより形成された線状の凹部である。また、格子状とは、ある方向に延びる複数に圧搾線の群と、これとは異なる方向に延びる複数の圧搾線の群とが交差している状態を意味する。圧搾線４１は、図３０等に示したように斜方形格子状のパターンで形成されていてもよいし、その他、正方形格子状のパターンで形成されていてもよい。つまり、格子状の圧搾線４１には、少なくとも、吸収性物品の幅方向（Ｗ）に沿って延びるか、又は幅方向（Ｗ）に対して１〜４５度の範囲で傾斜した方向に沿って延びるものが含まれる。例えば、圧搾線４１が吸収性物品の幅方向に対して傾斜する角度（θ）は、０〜４５度の範囲とすることができ、特に３０度〜４５度、又は３５度〜４５度であることが好ましい。
【０１３５】
また、圧搾線４１は、基本的に、吸収体１３を肌対向面側から圧縮することにより形成することができる。ただし、圧搾線４１は、吸収体１３を肌非対向面側から圧縮することにより形成されたものであってもよいし、吸収体１３を肌対向面と肌非対向面の両側から圧縮することにより形成されたものであってもよい。このように、圧搾線４１は、吸収体１３を圧縮することにより形成されたものであるため、吸収体１３は、その圧搾線４１が形成された部位（天面部１）において強度が向上する。特に、前述のとおり、格子状の吸収体１３は、吸収性物品の幅方向（Ｗ）に沿って延びるか、又は幅方向（Ｗ）に対して所定の範囲で傾斜した方向に沿って延びるものが含まれる。このため、吸収体１３は、その圧搾線４１が形成された天面部１の部位において、幅方向からの外力に対する応力が向上するといえる。
【０１３６】
図２９及び図３０に示されるように、吸収性物品１００の天面部１に相当する部位において、吸収体１３に格子状の圧搾線４１を形成することで、天面部１の応力が強くなる。このため、吸収生物品１００を着用者の両脚の間に挟み込んだ状態であっても、天面部１の形状を維持することができ、かつ、左右の側面２，３の間の空間４を保持することができる。これにより、吸収性物品１００が着用者の股下及び内太腿により密着しやすくなる。また、吸収体１３の天面部１に格子状の圧搾線４１を形成することで、天面部１に触れた体液が圧搾線４１に沿って拡散しやすくなる。これにより、天面部１から側面部２，３に亘って広い範囲で迅速に体液を吸収することができるため、尿漏れ防止効果を高めることができる。
【０１３７】
なお、図２９及び図３０に示した例において、圧搾線４１は、吸収体１３の天面部１内にのみ形成されている。ただし、本発明において、圧搾線４１は、少なくとも天面部１に形成されていてればよく、左右の側面部２，３に形成されていてもよいし、吸収体１３全体に形成されていてもよい。
【０１３８】
図３０に示されたような展開状態から、外面シート１１、内面シート１２、及び吸収体１３を貼り合わせて吸収性本体１０を形成し、この吸収性本体１０の幅方向（Ｗ）の左右両端を内面シート１２側に向かって曲げて、その下端部を防漏シート２０によって綴じる。これにより、吸収性本体１０と防漏シート２０を備える吸収性物品１００は、図３１に示されたような筒状の立体的形状となる。さらに、図３１に示されるように、防漏シート２０が、吸収性本体１０の下端部５において、左側面部２と右側面部３とに跨って添設されている。このため、防漏シート２０は、吸収性本体１０の左側面部２と右側面部３とを連結する機能を担っているといえる。
【０１３９】
また、図２９及び図３０に示されるように、貫通孔７は、天面部１のうち、格子状の圧搾線４１が形成された領域内に形成されていることが好ましい。つまり、貫通孔７の周囲は、圧搾線４１によって囲われた状態にあり、貫通孔７の周縁に圧搾線４１が達していることが好ましい。つまり、図３０の一部拡大図に示されるように、圧搾線４１が貫通孔７の縁に到達することで、この貫通孔７の縁にも凹部が形成されている。また、前述のとおり、吸収体１３は圧搾線４１が形成されている領域において強度が向上するため、この格子状の圧搾線４１の領域の中に貫通孔７を設けることで、貫通孔７の形状を保持することができる。本発明では、前述のとおり、天面部１に格子状の圧搾線４１を設けることで、天面部１の幅方向に剛性を高めて型崩れを防ぐこととしている。このため、天面部１に貫通孔７を設けた場合でも、圧搾線４１の作用により、貫通孔７が閉塞しにくく、孔としての機能を発揮することができる。
【０１４０】
前記の通り、貫通孔７は、天面部１を構成する外面シート１１、内面シート１２、及び吸収体１３の全てに形成されている。このため、貫通孔７の縁から吸収体１３の中身が飛び出さないよう、図３１に示されるように、外面シート１１と内面シート１２とを貫通孔７内で貫通孔７の輪郭に沿って接合することが好ましい。これにより、吸収体１３の露出を防止することができる。
【０１４１】
図３２は、吸収性物品１００を着用者の股下に挟み込んだ状態の例を示している。図３２に示されるように、吸収性本体１０のうち、平坦面をなす天面部１が着用者の股下に密着し、その左右両側に位置する側面部２，３が着用者の内太腿に密着する。さらに、左右の側面部２，３の間には空間４が保持されているため、吸収性本体１０は全体としてクッション性が高いものとなり、股下及び内太腿への密着状態が維持される。これにより、吸収性本体１０と着用者の肌との間に隙間が生じにくくなり、側臥位又は半側臥位の姿勢を取っている着用者に装着した場合であっても、天面部１側又は側面部２，３側からの尿漏れを効果的に防止できる。さらに、吸収性本体１０の下端部５には防漏シート２０が添設されているため、下着や、シーツ、あるいは重ねて装着している使い捨ておむつなどが汚れることを回避できる。また、吸収性物品１００の交換時には防漏シート２０を持ち手にして引き抜くことで、手を汚させずに簡単に交換作業を済ませることができる。
【０１４２】
図３３（ａ）から図３３（ｅ）は、第７の実施形態に係る吸収性物品１００の製造工程の例を示している。図３３では、XXXIII−XXXIII線における断面図を各図とともに示している。吸収性物品１００は、図３３（ａ）から図３３（ｅ）に示した手順で製造可能である。すなわち、まず矩形状の外面シート１１を用意し、外面シート１１の肌非対向面側に、貫通孔７及び格子状の圧搾線４１が形成された矩形状の吸収体１３を載置する（図３３（ａ））。なお、このとき外面シート１１には貫通孔７は形成されていない。次に、吸収体１３の肌非対向面側に内面シート１２を載置する（図３３（ｂ））。このときに、吸収体１３の周囲において、外面シート１１と内面シート１２とを接合する。なお、吸収体１３を外面シート１１と内面シート１２の両方又はいずれか一方に接合してもよい。これにより吸収性本体１０が得られる。なお、この段階で外面シート１１に貫通孔７は形成されていない。次に、吸収性本体１０を、吸収体１３に形成された貫通孔７に沿って、内面シート１２側に向かって二つ折りする（図３３（ｃ））。つまり、外面シート１１が外側になり内面シート１２が内側になるように二つ折りを行う。このとき、吸収体１３の貫通孔７が二つ折りの頂点に位置するようになる。その後、吸収体１３の貫通孔７が位置する頂点部分を切り落として、外面シート１１と内面シート１２にも、吸収体１３とほぼ同形状の貫通孔７を形成する（図３３（ｄ））。このとき、外面シート１１と内面シート１２は吸収体１３の貫通孔７に重なっているため、吸収体１３の貫通孔７と同じ位置を切り落とすことで、外面シート１１と内面シート１２にも略同時に貫通孔７を形成することができる。その後、吸収性本体１０の下端部に相当する位置に、防漏シート２０を接合する（図３３（ｅ））。その他、吸収性物品１００を構成する吸収性本体１０の適切な位置に、山折り目８を形成する工程を加えてもよい。また、二つ折りの頂点とは反対側の端部（つまり、防漏シート２０が配置される側の端部）を、ホットメルト接着剤等によって接着する工程を加えてもよい。
【０１４３】
上記の製造工程に従うことで、貫通孔７の形成された吸収性物品１００を効率的に製造することができる。また、図３３（ｃ）に示されるように、吸収体１３に貫通孔７を形成した後に、この貫通孔７に沿って吸収性本体１０全体を２つ折りにすることで、吸収性本体１０の天面部１に付く折り目を最小限に留めることができる。すなわち、前述のとおり、天面部１は、平坦面となり折り目が残っていないことが好ましいが、製造時に仕方なく生じる折り目を貫通孔７に沿って形成することで、天面部１に付く折り目を最小限に留めることができる。これにより、その着用時には折り目が殆ど天面部１に残っていない状態とすることも可能である。
【０１４４】
［１１．第８の実施形態］
続いて、図３４から図３６を参照して、本発明に係る吸収性物品１００の第８の実施形態について説明する。第８の実施形態については、前述した実施形態と同じ構成について説明を省略し、前述した実施形態と異なる構成を中心に説明を行う。
【０１４５】
図３４は、第８の実施形態に係る吸収性物品１００の分解斜視図を示し、図３５は、第２の実施形態に係る吸収性物品１００の断面図を示している。図３４及び図３５に示されるように、第８の実施形態に係る吸収性物品１００は、第７の実施形態で説明した構成要素に加えて、副吸収体１４をさらに有している。
【０１４６】
図３５に示されるように、本実施形態において、副吸収体１４は、吸収性本体１０の天面部１に配置されている。特に、副吸収体１４は、吸収体１３（以下「主吸収体」ともいう）の肌非対向面側、すなわち主吸収体１３と内面シート１２の間に配置されている。なお、副吸収体１４は、主吸収体１３と同様に、吸収性材料１４ａとコアラップシート１４ｂから構成すればよい。本実施形態のように、天面部１において主吸収体１３と副吸収体１４とを重ね合わせることで、この天面部１における体液の吸収量が増加する。このため、本実施形態は、天面部１に直接接する体液の量が多い女性向けの形態であるといえる。なお、副吸収体１４を天面部１に配設する場合、この副吸収体１４にも貫通孔７が形成される。天面部１に主吸収体１３と副吸収体１４を備えて二層構造とすることで、さらに幅方向に剛性が高まり、貫通孔７の閉塞を防ぐことができる。また、図示は省略するが、副吸収体１４は、主吸収体１３の肌対向面側、すなわち吸収体１３と外面シート１１の間に配置することも可能である。本実施形態において、副吸収体１４は、少なくとも天面部１に配置されていればよく、その他に左右の側面部２，３に配置されていてもよい。ただし、図３５に示した実施形態のように、副吸収体１４は、天面部１にのみ配置することが好ましい。
【０１４７】
図３６（ａ）及び（ｂ）は、主吸収体１３と副吸収体１４とを分離して示しており、図３６（ｃ）及び（ｄ）は、XXXVI−XXXVIにおける断面形状を示している。また、図３７は、主吸収体１３と副吸収体１４とを重ねた状態において、主吸収体１３に形成された圧搾線４１のパターンと、副吸収体１４に形成された圧搾線５１のパターンを拡大して示したものである。なお、図３６及び図３７では、概念的に、主吸収体１３と副吸収体１４のみを抽出して示している。
【０１４８】
図３６及び図３７に示されるように、第８の実施形態においては、主吸収体１３と副吸収体１４のそれぞれに、各吸収体１３，１４を厚み方向に窪ませた圧搾線４１，５１が複数形成されている。つまり、圧搾線４１，５１は、主吸収体１３と副吸収体１４のそれぞれに複数形成されている。圧搾線４１，５１は、肌対向面側と肌非対向面側の両側又はいずれか一方側から各圧搾線４１，５１を部分的に押圧して圧縮することによって形成されたものである。このため、圧搾線４１，５１が形成された部位においては、各吸収体１３，１４における吸収性材料１３ａ，１４ａの密度が高まることとなる。そして、主吸収体１３に形成された圧搾線３１と副吸収体１４に形成された圧搾線５１は、平面方向からみたときに少なくとも部分的に互いに交差するパターンをなしている。以下では、主吸収体１３に形成された圧搾線４１のパターンと、副吸収体１４に形成された圧搾線５１のパターンについて詳しく説明する。
【０１４９】
図３６に示されるように、主吸収体１３には、圧搾線４１が斜方形格子状のパターンで形成されている。ここにいう「斜方形格子状のパターン」とは、長手方向及び幅方向に対して傾斜した方向に延びる複数の圧搾線が交差して、斜方形（菱形）の非圧搾領域が区画されるパターンをいう。例えば、図３６に示したように、圧搾線が吸収性物品の幅方向に対して傾斜する角度（θ）は、１〜４５度の範囲とすることができ、さらに３０度〜４５度、又は３５度〜４５度であることが好ましい。特に、本実施形態において、主吸収体１３における圧搾線４１のパターンは、圧搾線４１によって四方を囲われた非圧搾領域４２がすべて正斜方形（正菱形）となる規則的なパターン（正斜方形格子状のパターン）となっている。このように、主吸収体１３には、複数の圧搾線４１と、圧搾線４１によって周囲を囲われた非圧搾領域４２と、圧搾線４１が交差した交点部４３が形成されているものと観念することができる。以下では便宜的に、主吸収体１３における圧搾線４１を「上側圧搾線４１」、非圧搾領域４２を「上側非圧搾領域４２」、交点部４３を「上側交点部４３」と称する。
【０１５０】
一方で、副吸収体１４には、圧搾線５１が方形格子状のパターンで形成されている。ここにいう「方形格子状のパターン」とは、長手方向と平行に延びる複数の圧搾線と幅方向と平行に延びる複数の圧搾線とが交差して、四角形状の非圧搾領域が区画されるパターンをいう。特に、本実施形態において、副吸収体１４における圧搾線５１のパターンは、圧搾線５１によって四方を囲われた非圧搾領域５２がすべて正方形状となる規則的なパターン（正方形格子状のパターン）となっている。このように、副吸収体１４においても、複数の圧搾線５１と、圧搾線５１によって周囲を囲われた非圧搾領域５２と、圧搾線５１が交差した交点部５３が形成されているものと観念することができる。以下では便宜的に、副吸収体１４における圧搾線５１を「下側圧搾線５１」、非圧搾領域５２を「下側非圧搾領域５２」、交点部５３を「下側交点部５３」と称する。
【０１５１】
また、本実施形態において、上側圧搾線４１は、主吸収体１３を肌対向面側から圧縮して窪ませることにより形成されたものである。同様に、下側圧搾線５１は、副吸収体１４を肌対向面側から圧縮して窪ませることにより形成されたものである。このため、副吸収体１４に下側圧搾線５１が形成された部位には、主吸収体１３と副吸収体１４を重ねた状態において両者の間に隙間が形成されることとなる。
【０１５２】
図３７に示されるように、本実施形態では、各吸収体１３，１４を重ねた状態において、主吸収体１３の上側交点部４３と副吸収体１４の下側交点部５３とが重なっている。さらに、主吸収体１３における複数の上側交点部４３の中には、副吸収体１４の下側非圧搾領域５２の中心（対角線の交点）と重なるものが存在する。特に、主吸収体１３の上側圧搾線４１のパターンと副吸収体１４の下側圧搾線５１のパターンとが重なる範囲においては、全ての下側非圧搾領域５２の範囲内に、上側交点部４３が存在していることとなる。このため、本実施形態では、正方形状をなす下側非圧搾領域５２の対角線に相当する位置に、上側圧搾線４１が重なっていることがわかる。さらに、本実施形態では、上側非圧搾領域４２の範囲内に下側圧搾線５１が重なっていることがわかる。
【０１５３】
また、図３６に示したように、上側非圧搾領域４２（正斜方形）の長手方向に沿った対角線の長さＤ１は、下側非圧搾領域５２（正方形）の長手方向の長さＬとほぼ等しい（Ｄ１＝Ｌ）。また、上側非圧搾領域４２（正斜方形）の幅方向に沿った対角線の長さＤ２は、下側非圧搾領域５２（正方形）の幅方向の長さＢとほぼ等しい（Ｄ２＝Ｂ）。なお、本願明細書における「ほぼ」とは、±５％の誤差を許容することを意味する。これらの条件を満たすことで、正方形状をなす下側非圧搾領域５２の対角線に相当する位置に、上側圧搾線４１が重なることとなる。
【０１５４】
このように、本実施形態では、上側非圧搾領域４２の範囲内に下側圧搾線５１が重なり、下側非圧搾領域５２の範囲内に上側圧搾線４１及び上側交点部４３が重なり、且つ、上側交点部４３と下側交点部５３とが重なっている。従って、主吸収体１３の上側圧搾線４１に沿って拡散した体液は、副吸収体１４に落ちて下側非圧搾領域５２に吸収される。また、主吸収体１３の上側交点部４３に滞留した体液は、副吸収体１４に落ち、下側交点部５３を通じて下側圧搾線５１に沿って拡散する。さらに、副吸収体１４の下側圧搾線５１に沿って拡散した体液は、主吸収体１３の上側非圧搾領域４２に吸収される。また、下側圧搾線５１は、上側圧搾線４１の格子状パターンの対角線方向に体液を拡散することもできる。これにより、このようなパターンを形成することで、従来では吸収時間が遅いとされていた非圧搾領域４２，５２にも迅速に体液を導くことが可能となる。
【０１５５】
ここで、吸収性物品の構成要素に関する具体的な数値について説明する。例えば、各吸収体１３，１４の厚み、すなわち非圧搾領域４２，５２の厚みは、５ｍｍ〜２０ｍｍであることが好ましく、特に８ｍｍ〜１５ｍｍであることが好ましい。また、圧搾線４１，５１が形成された部位における各吸収体１３，１４の厚みは、１ｍｍ〜１０ｍｍであることが好ましく、特に２ｍｍ〜５ｍｍであることが好ましい。ただし、当然のことながら、圧搾線４１，５１が形成された部位の厚みは、非圧搾領域４２，５２の厚みよりも小さくなる。例えば、圧搾線４１，５１が形成された部位の厚みは、非圧搾領域４２，５２の厚みに対して、３％〜５０％であり、特に５％〜２０％であることが好ましい。
【０１５６】
また、各圧搾線４１，５１の幅は、１ｍｍ〜５ｍｍであることが好ましく、特に２ｍｍ〜４ｍｍであることが好ましい。また、図３６に示した上側非圧搾領域４２の長手方向における対角線の長さＤ１は、１０ｍｍ〜５０ｍｍであることが好ましく、特に２０ｍｍ〜４０ｍｍ、あるいは３０ｍｍであることが好ましい。上側非圧搾領域４２の幅方向における対角線の長さＤ２の好ましい数値範囲は、前述した長さＤ１と同様である。長さＤ１と長さＤ２は、ほぼ等しいことが好ましいが、異なっていてもよい。つまり、上側非圧搾領域４２の形状は、正斜方形（正菱形）に限られず、その他の斜方形とすることも可能である。また、また、図３６に示した下側非圧搾領域５２の長さＬは、１０ｍｍ〜５０ｍｍであることが好ましく、特に２０ｍｍ〜４０ｍｍ、あるいは３０ｍｍであることが好ましい。下側非圧搾領域５２の幅Ｂの好ましい数値範囲は、前述した長さＬと同様である。長さＬと幅Ｂは、ほぼ等しいことが好ましいが、異なっていてもよい。つまり、下側非圧搾領域５２の形状は、正方形に限られず、その他の四角形とすることも可能である。前述のように、長さＤ１と長さＬとがほぼ等しく、長さＤ２と幅Ｂとがほぼ等しくなることが好ましい実施形態であるが、本発明はこれに限定されない。
【０１５７】
また、各吸収体１３，１４に形成された圧搾線４１，５１は、股下部近傍に排出された体液を前身頃及び後身頃まで広く拡散することができるように、長手方向に亘って広い範囲に形成されていることが好ましい。具体的には、圧搾線４１，５１が形成された領域の長手方向の長さは、各吸収体１３，１４の長手方向の長さに対して６０％以上であることが好ましく、６０％〜１００％、７０％〜１００％、又は８０％〜１００％であることが特に好ましい。また、各吸収体１３，１４に形成された圧搾線４１，５１は、幅方向の中心近傍に排出された体液を幅方向外側に広く拡散することができるように、幅方向に亘って広い範囲に形成されていることが好ましい。具体的には、上側圧搾線４１が形成された領域の幅方向の最大幅は、主吸収体１３の天面部１の幅方向の幅に対して６０％以上であることが好ましく、６０％〜１００％、７０％〜１００％、又は８０％〜１００％であることが特に好ましい。また、下側圧搾線５１が形成された領域の幅方向の最大幅は、副吸収体１４の幅方向の幅に対して６０％以上であることが好ましく、６０％〜１００％、７０％〜１００％、又は８０％〜１００％であることが特に好ましい。
【０１５８】
また、図では、圧搾線４１，５１が、各吸収体１３，１４を構成する吸収性材料１３ａ，１４ａ及びコアラップシート１３ｂ，１４ｂの両方を窪ませることにより形成された例を示している。ただし、圧搾線４１，５１は、少なくとも吸収性材料１３ａ，１４ａを圧縮して窪ませることにより形成されたものであればよい。つまり、吸収性材料１３ａ，１４ａを圧縮して圧搾線４１，５１を形成した後に、その吸収性材料３４、４４を被覆するようにコアラップシート１３ｂ，１４ｂを接合することとしてもよい。この意味において、圧搾線４１，５１は、各吸収体１３，１４を構成する吸収性材料１３ａ，１４ａに形成されていれば足りる。
【０１５９】
［１２．第９の実施形態］
続いて、図３８及び図３９を参照して、本発明の第９の実施形態に係る吸収性物品について説明する。第９の実施形態については、前述した実施形態と同じ構成について説明を省略し、前述した実施形態と異なる構成を中心に説明を行う。
【０１６０】
図３８（ａ）及び（ｂ）は、主吸収体１３と副吸収体１４とを分離して示しており、図３８（ｃ）及び（ｄ）は、XXXVIII−XXXVIIIにおける断面形状を示している。また、図３９は、主吸収体１３と副吸収体１４とを重ねた状態において、主吸収体１３に形成された圧搾線４１のパターンと、副吸収体１４に形成された圧搾線５１のパターンを拡大して示したものである。なお、図３８及び図３９は、概念的に、主吸収体１３と副吸収体１４のみを抽出して示している。
【０１６１】
第９の実施形態は、各吸収体１３，１４に形成された圧搾線４１，５１のパターンが、第８の実施形態とは異なっている。図３８及び図３９に示されるように、主吸収体１３には、上側圧搾線４１が正方形格子状のパターンで形成されており、副吸収体１４には、下側圧搾線５１が正斜方形格子状のパターンで形成されている。ここにいう正斜方形格子状のパターンと正方形格子状のパターンは、第８の実施形態で説明したものと基本的に同じである。ただし、第９の実施形態では、主吸収体１３と副吸収体１４とを重ねた状態において、主吸収体１３に形成された正方形格子状のパターンと副吸収体１４に形成された正斜方形格子状のパターンの相対的な位置関係が、第８の実施形態とは異なっている。
【０１６２】
各図からわかるように、第９の実施形態において、上側非圧搾領域４２の面積は、下側非圧搾領域５２の面積よりも大きくなっている。このため、主吸収体１３と副吸収体１４を重ねたときに、上側非圧搾領域４２（正方形）の範囲の中に、下側非圧搾領域５２（正斜方形）が収まることとなる。
【０１６３】
また、第９の実施形態では、ある上側非圧搾領域４２（正方形）を画定する４辺の上側圧搾線４１に、それぞれ、ある下側非圧搾領域５２（正斜方形）を画定する４つの下側交点部５３が重なっている。このため、図３９に示されるように、上側非圧搾領域４２（正方形）の範囲に下側非圧搾領域５２（正斜方形）がピッタリと収まっていることがわかる。すなわち、上側非圧搾領域４２（正方形）の中心（対角線の交点）と、下側非圧搾領域５２（正斜方形）の中心（対角線の交点）が一致している。さらに、図３８に示したように、上側非圧搾領域４２（正方形）の長手方向の長さＬは、下側非圧搾領域５２（正斜方形）の長手方向に沿った対角線の長さＤ１とほぼ等しい（Ｌ＝Ｄ１）。また、上側非圧搾領域４２（正方形）の幅方向の長さＢは、下側非圧搾領域５２の幅方向に沿った対角線の長さＤ２とほぼ等しい（Ｂ＝Ｄ２）。これらの条件を満たすことで、上側非圧搾領域４２（正方形）を画定する４辺の上側圧搾線４１に、それぞれ、ある下側非圧搾領域５２（正斜方形）を画定する４つの下側交点部５３が重なることとなる。
【０１６４】
また、図３９に示されるように、上側交点部４３は、それぞれ、下側非圧搾領域５２（正斜方形）の中心（対角線の交点）に重なっている。別の見方をすれば、複数の下側非圧搾領域５２（正斜方形）には、上側交点部４３が重なるものと、上側交点部４３が重ならないものとが存在する。図３９に示した例では、下側非圧搾領域５２の複数の列のうち、１列おきに、上側交点部４３が重なるものの列と、上側交点部４３が重ならないものの列が交互に並んでいることがわかる。同様に、下側非圧搾領域５２の複数の行のうち、１行おきに、上側交点部４３が重なるものの行と、上側交点部４３が重ならないものの行が交互に並んでいることがわかる。
【０１６５】
上記のように、上側圧搾線４１のパターン（正方形格子状）と下側圧搾線５１のパターン（正斜方形格子状）を形成することで、１つの吸収体に圧搾線を密に形成しなくても、非圧搾領域に効果的に体液を拡散させ、２層の吸収体全体の広い範囲で体液を吸収できる。つまり、主吸収体１３の上側圧搾線４１に沿って拡散した体液が、副吸収体１４の下側非圧搾領域５２に吸収されることになる。このため、主吸収体１３の上側圧搾線４１に沿って拡散した体液が端部に到達しにくくなり、外部へと漏れ出す事態を効果的に防止できる。また、２層の吸収体１３，１４の広い範囲で体液を吸収できるようになるため、体液の吸収量が向上するとともに、長時間の着用であっても着用者に対して不快感を与えにくい。各吸収体１３，１４に形成された交点部４３、５３では、圧搾線４１，５１が交差しているため、体液が滞留しやすくなっている。そこで、主吸収体１３の上側交点部４３を副吸収体１４の下側非圧搾領域５２に重ねることで、上側交点部４３に滞留した体液を下側非圧搾領域５２に効果的に浸透させることが可能となる。
【０１６６】
また、第９の実施形態のように、上側交点部４３が重なる下側非圧搾領域５２の列及び行を１列置き及び１行置きとすることで、主吸収体１３に浸透した体液を、より遠くの領域まで拡散させることができる。このため、主吸収体１３に浸透した体液を、副吸収体１４の広い範囲に拡散及び浸透させることが可能となる。
【０１６７】
また、圧搾線は、溝として液体を流す機能と、圧搾部周辺の非圧搾領域に毛細管現象を利用して液体を圧搾部に沿って拡散させる機能がある。溝として機能しない形態で使われた場合においても、一方の吸収体の圧搾線から他方の吸収体の圧搾線又は非圧搾領域へと液体の受け渡しが起こる。その理由は次の通りである。すなわち、圧搾線は、吸収体を構成する吸収性材料を圧力で潰したものである。このため、圧搾線が形成された部位において吸収体が液体を吸収すると厚さが変化する。すなわち、圧搾線にあるパルプやＳＡＰが吸液すると、時間をかけてパルプ間の間隔が緩み、またＳＡＰは膨潤するため、圧搾線が徐々に浅くなり、最後には膨潤後の非圧搾領域と厚みがほぼ同じになる。このように、圧搾線は吸収前には深さがあっても吸液が進行するとともに徐々に深さが浅くなる。このため、一方の吸収体の圧搾線からそれに重なる他方の吸収体に設けられた圧搾線又は非圧搾領域に液体を受け渡しやすくなる。つまり、最初の状態で圧搾線は溝となっているため、液体がこの圧搾線に優先して流れ込む。そして、圧搾線が形成された部位は吸液が進むと圧搾線が膨潤するため、前述のとおり、膨潤した圧搾線に重なる他方の吸収体に設けられた圧搾線又は非圧搾領域へと液体が移動する。
【０１６８】
このように、第９の実施形態のパターンは、第８の実施形態のパターンと比較して、体液の拡散範囲が広いものであるといえる。これに対して、第８の実施形態のパターンは、第９の実施形態のパターンと比較して、体液の吸収速度が早いものであるといえる。このため、二層の吸収体のそれぞれに圧搾線を形成する場合に、第８の実施形態のパターンと第９の実施形態のパターンのいずれを採用するかは、吸収性物品に求められる性能を考慮して適宜決定すればよい。
【０１６９】
なお、各圧搾線４１，５１の幅、上側非圧搾領域４２の長手方向における対角線の長さＤ１や幅方向における対角線の長さＤ２、あるいは下側非圧搾領域５２の長手方向の長さＬや幅Ｂの値については、前述した第８の実施形態と同様の範囲とすることが好ましい。
【０１７０】
［１３．第１０の実施形態］
続いて、図４０から図４４を参照して、本発明に係る吸収性物品１００の第１０の実施形態について説明する。第１０の実施形態については、前述した実施形態と同じ構成について説明を省略し、前述した実施形態と異なる構成を中心に説明を行う。
【０１７１】
図４０は、本発明に係る吸収性物品１００の概要を示した斜視図である。図４０に示されるように、本発明に係る吸収性物品１００は、内部に空間４を有する筒状の立体的形状をなしている。本実施形態では、１つの平面的な矩形状の吸収性本体１０の両端の裏面側を合掌合せにして、奥行き方向（Ｄ）に沿って延びる空間４を有する筒状に形成している。立体形状をなす吸収性本体１０は、着用者の股下に当接する面を有する天面部１と、この天面部１の左右両側から肌非対向面側に向かって延在する左右の側面部２，３（左側面部２及び右側面部３）と、これら左右の側面部２，３の間に形成される空間４を有している。この空間４は、着用者の腹側の端部から背側の端部に至るまで、奥行き方向（Ｄ）に沿って貫通したものとなっている。さらに、吸収性本体１０の左右の側面部２，３の下端部５には、液不透過性の防漏シート２０が取り付けられている。この防漏シート２０は、左右の側面部２，３に跨って接合されており、これら側面部２，３を連結する機能をも担っている。また、吸収性本体１０の天面部１には、内部の空間４に繋がる貫通孔７が形成されている。
【０１７２】
図４１は、吸収性物品１００の分解斜視図を示し、図４２は、吸収性物品の断面図を示している。図４０から図４２に示されるように、吸収性物品１００は、吸収性本体１０と、その下部に取り付けられた防漏シート２０とを備えている。
【０１７３】
図４０及び図４１に示されるように、吸収体１３は、少なくとも左右の側面部２，３に、複数の圧搾線４１が形成されている。圧搾線４１は、吸収体１３を部分的に圧縮することにより形成された線状の凹部である。複数の圧搾線は、複数の平行な圧搾線であるか、又は閉じた領域を画定する複数の圧搾線であることが好ましい。また、複数の圧搾線は、閉じた領域を画定する複数の平行な圧搾線であることが特に好ましい。図４０及び図４１等に示した実施形態において、圧搾線は格子状に形成されている。また、格子状とは、ある方向に延びる複数に圧搾線の群と、これとは異なる方向に延びる複数の圧搾線の群とが交差している状態を意味する。圧搾線４１は、図４１等に示したように斜方形格子状のパターンで形成されていてもよいし、その他、正方形格子状のパターンで形成されていてもよい。つまり、格子状の圧搾線４１には、図４１に示されるように吸収体１３を平面状に広げたときに、吸収性物品の幅方向（Ｗ）に沿って延びるか、又は幅方向（Ｗ）に対して１〜４５度の範囲で傾斜した方向に沿って延びるものが含まれる。例えば、圧搾線４１が吸収性物品の幅方向に対して傾斜する角度（θ）は、０〜４５度の範囲とすることができ、特に３０度〜４５度、又は３５度〜４５度であることが好ましい。
【０１７４】
また、圧搾線４１は、基本的に、吸収体１３を肌対向面側から圧縮することによって形成することができる。ただし、圧搾線４１は、吸収体１３を肌非対向面側から圧縮することにより形成されたものであってもよいし、吸収体１３を肌対向面と肌非対向面の両側から圧縮することにより形成されたものであってもよい。このように、圧搾線４１は、吸収体１３を圧縮した部位であるため、吸収体１３は、その圧搾線４１が形成された部位（左右の側面部２，３）において強度が向上する。
【０１７５】
図４０及び図４１に示されるように、吸収体１３の左右の側面部２，３に格子状の圧搾線４１を形成することで、左右の側面部２，３に接触又は浸透した体液がこの圧搾線４１に沿って拡散する。これにより、側面部２，３の広い範囲に亘って迅速に体液を吸収することができるため、尿漏れ防止効果を高めることができる。また、吸収性物品１００の左右の側面部２，３に相当する部位において、吸収体１３に格子状の圧搾線４１を形成することで、この左右の側面部２，３の応力が強くなる。このため、吸収生物品１００を着用者の両脚の間に挟み込んだ状態であっても、天面部１の形状を維持することができ、左右の側面２，３の間の空間４を保持することができる。これにより、吸収性物品１００が着用者の股下及び内太腿により密着しやすくなる。
【０１７６】
なお、図４０及び図４１に示した例において、圧搾線４１は、吸収体１３の左右の側面部２，３内にのみ形成されている。ただし、本発明において、圧搾線４１は、左右の側面部２，３にだけでなく、さらに天面部１に形成されていてもよいし、吸収体１３全体に形成されていてもよい。
【０１７７】
図４１に示されたような展開状態から、外面シート１１、内面シート１２、及び吸収体１３を貼り合わせて吸収性本体１０を形成し、この吸収性本体１０の幅方向（Ｗ）の左右両端を内面シート１２側に向かって曲げて、その下端部を防漏シート２０によって綴じる。これにより、吸収性本体１０と防漏シート２０を備える吸収性物品１００は、図４２に示されたような筒状の立体的形状となる。さらに、図４２に示されるように、防漏シート２０が、吸収性本体１０の下端部５において、左側面部２と右側面部３とに跨って添設されている。このため、防漏シート２０は、吸収性本体１０の左側面部２と右側面部３とを連結する機能を担っているといえる。
【０１７８】
また、図４０から図４２に示されるように、格子状の圧搾線４１は、左右の側面部２，３のうち、少なくとも防漏シート２０が取り付けられていない吸液部６に形成されていることが好ましい。吸液部６に格子状の圧搾線４１を設けることで、この圧搾線４１が防漏シート２０の裏側に隠れてしまうことを回避できる。これにより、吸液部６に付着又は浸透した体液が圧搾線４１に沿って範囲に拡散する。また、圧搾線４１は、吸液部６だけでなく、この吸液部６から防漏シート２０が取り付けられた下端部５に亘って連続的に形成されていることが好ましい。すなわち、格子状の圧搾線４１は、防漏シート２０の縁を超えて、吸液部６から下端部５にまで連続的に延在していることが好ましい。このように、吸液部６から下端部５へと繋がるように圧搾線４１が設けられていることで、吸液部６で吸収した体液を、圧搾線４１を通じて、防漏シート２０の裏に隠れている下端部５へと迅速に導くことができる。下端部５は防漏シート２０の裏に隠れているため、この下端部５に体液は浸透しにくいが、圧搾線４１がこの下端部５へと体液を運ぶ流路として機能する。これにより、さらに広い範囲に体液を拡散させることができる。
【０１７９】
また、図４０に示されるように、本実施形態において、左右の側面部２，３は、格子状の圧搾線４１が形成された領域である圧搾線形成領域６ａと、圧搾線４１が形成されていない領域である圧搾線非形成領域６ｂとに分かれている。本実施形態では、圧搾線形成領域６ａが、左右の側面部２，３の下端側に設けられ、圧搾線非形成領域６ｂが、天面部１（山折り目８）と圧搾線形成領域６ａの間に設けられている。圧搾線形成領域６ａは、吸収体１３が部分的に圧縮されているため肌触りが多少硬くなる。これに対して、圧搾線非形成領域６ｂは、圧搾線４１が存在せず肌触りが比較的柔らかい。そこで、天面部１と圧搾線形成領域６ａの間に圧搾線４１の設けることで、着用者の股関節付近に接触する吸収性物品１００の肌触りを良化することができる。これにより、吸収性物品１００の着用感が向上する。また、圧搾線４１を形成する領域を左右の側面部２，３の下端側に限定したとしても、吸収体４１に浸透した体液は重力に従って下方に流れるため、最終的には圧搾線形成領域６ａに到達する。そして、圧搾線形成領域６ａに到達した体液は、圧搾線４１に沿って広く拡散する。このように、本発明においては、左右の側面部２，３の上側に圧搾線非形成領域６ｂが設けられ、その下側に圧搾線形成領域６ａが設けられている。これにより、体液の拡散性を維持しつつ、例えば左右の側面部２，３全体に圧搾線を形成した場合と比較して着用者に肌に対する刺激が少なくなり、肌触りを良化することができる。
【０１８０】
また、圧搾線非形成領域６ｂの高さ方向（Ｈ）における長さは、左右の側面２，３の高さ方向（Ｈ）における全体の長さに対して、２０％以上であることが好ましい。具体的に、圧搾線非形成領域６ｂの高さ方向（Ｈ）における長さは、２０〜７０％であることが好ましく、３０〜５０％であることがより好ましい。このように、圧搾線非形成領域６ｂの範囲を一定以上確保することで、着用者の股関節付近に接触する部位の肌触りを柔らかくすることができる。
【０１８１】
図４３は、吸収性物品１００を着用者の股下に挟み込んだ状態の例を示している。図４３に示されるように、吸収性本体１０のうち、平坦面をなす天面部１が着用者の股下に密着し、その左右両側に位置する側面部２，３が着用者の内太腿に密着する。さらに、左右の側面部２，３の間には空間４が保持されているため、吸収性本体１０は全体としてクッション性が高いものとなり、股下及び内太腿への密着状態が維持される。これにより、吸収性本体１０と着用者の肌との間に隙間が生じにくくなり、側臥位又は半側臥位の姿勢を取っている着用者に装着した場合であっても、天面部１側又は側面部２，３側からの尿漏れを効果的に防止できる。さらに、吸収性本体１０の下端部５には防漏シート２０が添設されているため、下着や、シーツ、あるいは重ねて装着している使い捨ておむつなどが汚れることを回避できる。また、吸収性物品１００の交換時には防漏シート２０を持ち手にして引き抜くことで、手を汚させずに簡単に交換作業を済ませることができる。
【０１８２】
図４４（ａ）から図４４（ｅ）は、第１０の実施形態に係る吸収性物品１００の製造工程の例を示している。図４４では、XLIV−XLIV線における断面図を各図とともに示している。吸収性物品１００は、図４４（ａ）から図４４（ｅ）に示した手順で製造可能である。すなわち、まず矩形状の外面シート１１を用意し、外面シート１１の肌非対向面側に、貫通孔７及び格子状の圧搾線４１が形成された矩形状の吸収体１３を載置する（図４４（ａ））。なお、このとき外面シート１１には貫通孔７は形成されていない。次に、吸収体１３の肌非対向面側に内面シート１２を載置する（図４４（ｂ））。このときに、吸収体１３の周囲において、外面シート１１と内面シート１２とを接合する。なお、吸収体１３を外面シート１１と内面シート１２の両方又はいずれか一方に接合してもよい。これにより吸収性本体１０が得られる。なお、この段階で外面シート１１に貫通孔７は形成されていない。次に、吸収性本体１０を、吸収体１３に形成された貫通孔７に沿って、内面シート１２側に向かって二つ折りする（図４４（ｃ））。つまり、外面シート１１が外側になり内面シート１２が内側になるように二つ折りを行う。このとき、吸収体１３の貫通孔７が二つ折りの頂点に位置するようになる。その後、吸収体１３の貫通孔７が位置する頂点部分を切り落として、外面シート１１と内面シート１２にも、吸収体１３とほぼ同形状の貫通孔７を形成する（図４４（ｄ））。このとき、外面シート１１と内面シート１２は吸収体１３の貫通孔７に重なっているため、吸収体１３の貫通孔７と同じ位置を切り落とすことで、外面シート１１と内面シート１２にも略同時に貫通孔７を形成することができる。その後、吸収性本体１０の下端部に相当する位置に、防漏シート２０を接合する（図４４（ｅ））。このとき、防漏シート２０によって、圧搾線４１が形成された領域（圧搾線形成領域６ａ）を部分的に覆うようにする。その他、吸収性物品１００を構成する吸収性本体１０の適切な位置に、山折り目８を形成する工程を加えてもよい。また、二つ折りの頂点とは反対側の端部（つまり、防漏シート２０が配置される側の端部）を、ホットメルト接着剤等によって接着する工程を加えてもよい。
【０１８３】
上記の製造工程に従うことで、貫通孔７の形成された吸収性物品１００を効率的に製造することができる。また、図４４（ｃ）に示されるように、吸収体１３に貫通孔７を形成した後に、この貫通孔７に沿って吸収性本体１０全体を２つ折りにすることで、吸収性本体１０の天面部１に付く折り目を最小限に留めることができる。すなわち、前述のとおり、天面部１は、平坦面となり折り目が残っていないことが好ましいが、製造時に仕方なく生じる折り目を貫通孔７に沿って形成することで、天面部１に付く折り目を最小限に留めることができる。これにより、その着用時には折り目が殆ど天面部１に残っていない状態とすることも可能である。
【０１８４】
［１４．第１１の実施形態］
続いて、図４５から図４８を参照して、本発明に係る吸収性物品１００の第１１の実施形態について説明する。第１１の実施形態については、前述した第１０の実施形態と同じ構成について説明を省略し、第１０の実施形態と異なる構成を中心に説明を行う。
【０１８５】
図４５は、第２の実施形態に係る吸収性物品１００の分解斜視図を示し、図４６は、第２の実施形態に係る吸収性物品１００の断面図を示している。図４５及び図４６に示されるように、第２の実施形態に係る吸収性物品１００は、第１０の実施形態で説明した構成要素に加えて、２つの副吸収体１４をさらに有している。
【０１８６】
図４６に示されるように、本実施形態において、副吸収体１４は、吸収性本体１０の左右の側面部２，３に一つずつに配置されている。特に、２つの副吸収体１４は、天面部１及び左右の側面部２，３を構成する主吸収体１３の肌非対向面側、すなわち主吸収体１３と内側シート１２の間に配置されている。なお、各副吸収体１４は、主吸収体１３と同様に吸収性材料１４ａとコアラップシート１４ｂから構成すればよい。本実施形態のように、左右の側面部２，３において主吸収体１３と副吸収体１４とを重ね合わせることで、この側面部２，３における体液の吸収量が増加する。特に、各側面部２，３に配置された副吸収体１４によって、天面部１の貫通孔７を通じて空間４内に導入された体液を多量に吸収することができる。このため、本実施形態は、天面部１の貫通孔７に陰茎を差し込んで使用する男性向けの形態であるといえる。なお、図４６に示されるように、副吸収体１４は、少なくとも左右の側面部２，３の下端部５側において、主吸収体１３に重ねて配置されていることが好ましい。ただし、副吸収体１４は、左右の側面部２，３の全体に亘って、主吸収体１３に重ねて配置されていてもよい。また、図示は省略するが、副吸収体１４は、主吸収体１３の肌対向面側、すなわち主吸収体１３と外面シート１１の間に配置することも可能である。
【０１８７】
図４５及び図４６に示されるように、第１１の実施形態においては、主吸収体１３と副吸収体１４のそれぞれに、各吸収体１３，１４を厚み方向に窪ませた圧搾線４１，５１が複数形成されている。つまり、圧搾線４１，５１は、主吸収体１３と副吸収体１４のそれぞれに複数形成されている。圧搾線４１，５１は、肌対向面側と肌非対向面側の両側又はいずれか一方側から各圧搾線４１，５１を部分的に押圧して圧縮することによって形成されたものである。このため、圧搾線４１，５１が形成された部位においては、各吸収体１３，１４における吸収性材料１３ａ，１４ａの密度が高まることとなる。そして、主吸収体１３に形成された圧搾線４１と副吸収体１４に形成された圧搾線５１は、平面方向からみたときに少なくとも部分的に互いに交差するパターンをなしている。以下では、主吸収体１３に形成された圧搾線４１のパターンと、副吸収体１４に形成された圧搾線５１のパターンについて詳しく説明する。
【０１８８】
図４７は、主吸収体１３と副吸収体１４に形成された圧搾線４１，５１のパターンを重ねた状態を示している。図４５や図４７に示されるように、主吸収体１３には、圧搾線４１が斜方形格子状のパターンで形成されている。ここにいう「斜方形格子状のパターン」とは、長手方向及び幅方向に対して傾斜した方向に延びる複数の圧搾線が交差して、斜方形（菱形）の非圧搾領域が区画されるパターンをいう。例えば、図４７に示したように、圧搾線が吸収性物品の幅方向に対して傾斜する角度（θ）は、１〜４５度の範囲とすることができ、さらに３０度〜４５度、又は３５度〜４５度であることが好ましい。特に、本実施形態において、主吸収体１３における圧搾線４１のパターンは、圧搾線４１によって四方を囲われた非圧搾領域４２がすべて正斜方形（正菱形）となる規則的なパターン（正斜方形格子状のパターン）となっている。このように、主吸収体１３には、複数の圧搾線４１と、圧搾線４１によって周囲を囲われた非圧搾領域４２と、圧搾線４１が交差した交点部４３が形成されているものと観念することができる。以下では便宜的に、主吸収体１３における圧搾線４１を「上側圧搾線４１」、非圧搾領域４２を「上側非圧搾領域４２」、交点部４３を「上側交点部４３」と称する。
【０１８９】
一方で、副吸収体１４には、圧搾線５１が方形格子状のパターンで形成されている。ここにいう「方形格子状のパターン」とは、長手方向と平行に延びる複数の圧搾線と幅方向と平行に延びる複数の圧搾線とが交差して、四角形状の非圧搾領域が区画されるパターンをいう。特に、本実施形態において、副吸収体１４における圧搾線５１のパターンは、圧搾線５１によって四方を囲われた非圧搾領域５２がすべて正方形状となる規則的なパターン（正方形格子状のパターン）となっている。このように、副吸収体１４においても、複数の圧搾線５１と、圧搾線５１によって周囲を囲われた非圧搾領域５２と、圧搾線５１が交差した交点部５３が形成されているものと観念することができる。以下では便宜的に、副吸収体１４における圧搾線５１を「下側圧搾線５１」、非圧搾領域５２を「下側非圧搾領域５２」、交点部５３を「下側交点部５３」と称する。
【０１９０】
また、本実施形態において、上側圧搾線４１は、主吸収体１３を肌対向面側から圧縮して窪ませることにより形成されたものである。同様に、下側圧搾線５１は、副吸収体１４を肌対向面側から圧縮して窪ませることにより形成されたものである。このため、副吸収体１４に下側圧搾線５１が形成された部位には、主吸収体１３と副吸収体１４を重ねた状態において両者の間に隙間が形成されることとなる。
【０１９１】
図４７からわかるように、本実施形態において、下側非圧搾領域５２の面積は、上側非圧搾領域４２の面積よりも大きくなっている。このため、主吸収体１３と副吸収体１４を重ねたときに、下側非圧搾領域５２（正方形）の範囲の中に、上側非圧搾領域４２（正斜方形）が収まることとなる。
【０１９２】
また、本実施形態では、ある下側非圧搾領域５２（正方形）を画定する４辺の下側圧搾線５１に、それぞれ、ある上側非圧搾領域４２（正斜方形）を画定する４つの上側交点部４３が重なっている。このため、図４７に示されるように、下側非圧搾領域５２（正方形）の範囲に上側非圧搾領域４２（正斜方形）がピッタリと収まっていることがわかる。すなわち、下側非圧搾領域５２（正方形）の中心（対角線の交点）と、上側非圧搾領域４２（正斜方形）の中心（対角線の交点）が一致している。さらに、図４７に示したように、下側非圧搾領域５２（正方形）の長手方向の長さＬは、上側非圧搾領域４２（正斜方形）の長手方向に沿った対角線の長さＤ１とほぼ等しい（Ｌ＝Ｄ１）。また、下側非圧搾領域５２（正方形）の幅方向の長さＢは、上側非圧搾領域４２の幅方向に沿った対角線の長さＤ２とほぼ等しい（Ｂ＝Ｄ２）。これらの条件を満たすことで、下側非圧搾領域５２（正方形）を画定する４辺の下側圧搾線５１に、それぞれ、ある上側非圧搾領域４２（正斜方形）を画定する４つの上側交点部４３が重なることとなる。なお、本願明細書における「ほぼ」とは、±５％の誤差を許容することを意味する。
【０１９３】
上記のように、上側圧搾線４１のパターン（正斜方形格子状）と下側圧搾線５１のパターン（正方形格子状）を形成することで、１つの吸収体に圧搾線を密に形成しなくても、非圧搾領域に効果的に体液を拡散させ、２層の吸収体全体の広い範囲で体液を吸収できる。つまり、主吸収体１３の上側圧搾線４１に沿って拡散した体液が、副吸収体１４の下側非圧搾領域５２に吸収されることになる。このため、主吸収体１３の上側圧搾線４１に沿って拡散した体液が端部に到達しにくくなり、外部へと漏れ出す事態を効果的に防止できる。また、２層の吸収体１３，１４の広い範囲で体液を吸収できるようになるため、体液の吸収量が向上するとともに、長時間の着用であっても着用者に対して不快感を与えにくい。各吸収体１３，１４に形成された交点部４３，５３では、圧搾線４１，５１が交差しているため、体液が滞留しやすくなっている。そこで、主吸収体１３の上側交点部４３を副吸収体１４の下側圧搾線５１に重ねることで、上側交点部４３に滞留した体液を下側圧搾線５１に導入して、副吸収体１４へと効果的に浸透させることが可能となる。
【０１９４】
図４８は、主吸収体１３に形成された圧搾線４１のパターンと、副吸収体１４に形成された圧搾線５１のパターンの変形例を示している。図４８に示された変形例では、各吸収体１３，１４を重ねた状態において、主吸収体１３の上側交点部４３と副吸収体１４の下側交点部５３とが重なっている。さらに、主吸収体１３における複数の上側交点部４３の中には、副吸収体１４の下側非圧搾領域５２の中心（対角線の交点）と重なるものが存在する。特に、主吸収体１３の上側圧搾線４１のパターンと副吸収体１４の下側圧搾線５１のパターンとが重なる範囲においては、全ての下側非圧搾領域５２の範囲内に、上側交点部４３が存在していることとなる。また、本実施形態では、上側非圧搾領域４２の範囲内に下側圧搾線５１が重なっていることがわかる。
【０１９５】
このように、図４８に示した変形例では、上側非圧搾領域４２の範囲内に下側圧搾線５１が重なり、下側非圧搾領域５２の範囲内に上側圧搾線４１及び上側交点部４３が重なり、且つ、上側交点部４３と下側交点部５３とが重なっている。従って、主吸収体１３の上側圧搾線４１に沿って拡散した体液は、副吸収体１４に落ちて下側非圧搾領域５２に吸収される。また、主吸収体１３の上側交点部４３に滞留した体液は、副吸収体１４に落ち、下側交点部５３を通じて下側圧搾線５１に沿って拡散する。さらに、副吸収体１４の下側圧搾線５１に沿って拡散した体液は、主吸収体１３の上側非圧搾領域４２に吸収される。また、下側圧搾線５１は、上側圧搾線４１の格子状パターンの対角線方向に体液を拡散することもできる。これにより、このようなパターンを形成することで、従来では吸収時間が遅いとされていた非圧搾領域４２，５２にも迅速に体液を導くことが可能となる。
【０１９６】
このように、図４８に示したパターンは、図４７のパターンと比較して、体液の吸収速度が早いものであるといえる。これに対して、図４７のパターンは、図４８のパターンと比較して、体液の拡散範囲が広いものであるといえる。このため、二層の吸収体のそれぞれに圧搾線を形成する場合に、図４７と図４８のどちらのパターンを採用するかは、吸収性物品に求められる性能を考慮して適宜決定すればよい。
【０１９７】
以上、本願明細書では、本発明の内容を表現するために、図面を参照しながら本発明の実施形態の説明を行った。ただし、本発明は、上記実施形態に限定されるものではなく、本願明細書に記載された事項に基づいて当業者が自明な変更形態や改良形態を包含するものである。
【産業上の利用可能性】
【０１９８】
本発明は、側臥位や半側臥位の姿勢を取っている着用者の股下に挟み込んで使用するのに適した吸収性物品に関する。従って、本発明は、吸収性物品の製造業において好適に利用することができる。
【符号の説明】
【０１９９】
１…天面部                  ２…左側面部
３…右側面部                ４…空間
５…下端部                  ６…吸液部
６ａ…圧搾線形成領域        ６ｂ…圧搾線非形成領域
７…貫通孔                  ８…山折り目
９…谷折り目                １０…吸収性本体
１０ａ…前側部              １０ｂ…後側部
１０ｃ…中央部              １０Ｌ…左フラップ部
１０Ｒ…右フラップ部        １１…外面シート
１２…内面シート            １３…吸収体（主吸収体）
１３ａ…吸収性材料          １３ｂ…コアラップシート
１３ｃ…圧搾線              １４…副吸収体
１４ａ…吸収性材料          １４ｂ…コアラップシート
２０…防漏シート            ２１…固定部
２２…延出部                ３１…第１の圧搾線
３２…第２の圧搾線          ３３…第３の圧搾線
３３ａ…円弧状の圧搾線      ３３ｂ…直線状の圧搾線
４１…圧搾線（上側）        ４２…非圧搾領域（上側）
４３…交点部（上側）        ５１…圧搾線（下側）
５２…非圧搾領域（下側）    ５３…交点部（下側）
１００…吸収性物品          ２００…包装体
３００…通常の尿取りパッド  ３０１…トップシート
３０２…バックシート        ３０３…吸収体
Ｄ…奥行き方向              Ｗ…幅方向
Ｈ…高さ方向
【図１】
2020032257.tif 000003
【図２】
2020032257.tif 000004
【図３】
2020032257.tif 000005
【図４】
2020032257.tif 000006
【図５】
2020032257.tif 000007
【図６】
2020032257.tif 000008
【図７】
2020032257.tif 000009
【図８】
2020032257.tif 000010
【図９】
2020032257.tif 000011
【図１０】
2020032257.tif 000012
【図１１】
2020032257.tif 000013
【図１２】
2020032257.tif 000014
【図１３】
2020032257.tif 000015
【図１４】
2020032257.tif 000016
【図１５】
2020032257.tif 000017
【図１６】
2020032257.tif 000018
【図１７】
2020032257.tif 000019
【図１８】
2020032257.tif 000020
【図１９】
2020032257.tif 000021
【図２０】
2020032257.tif 000022
【図２１】
2020032257.tif 000023
【図２２】
2020032257.tif 000024
【図２３】
2020032257.tif 000025
【図２４】
2020032257.tif 000026
【図２５】
2020032257.tif 000027
【図２６】
2020032257.tif 000028
【図２７】
2020032257.tif 000029
【図２８】
2020032257.tif 000030
【図２９】
2020032257.tif 000031
【図３０】
2020032257.tif 000032
【図３１】
2020032257.tif 000033
【図３２】
2020032257.tif 000034
【図３３】
2020032257.tif 000035
【図３４】
2020032257.tif 000036
【図３５】
2020032257.tif 000037
【図３６】
2020032257.tif 000038
【図３７】
2020032257.tif 000039
【図３８】
2020032257.tif 000040
【図３９】
2020032257.tif 000041
【図４０】
2020032257.tif 000042
【図４１】
2020032257.tif 000043
【図４２】
2020032257.tif 000044
【図４３】
2020032257.tif 000045
【図４４】
2020032257.tif 000046
【図４５】
2020032257.tif 000047
【図４６】
2020032257.tif 000048
【図４７】
2020032257.tif 000049
【図４８】
2020032257.tif 000050
【図４９】
2020032257.tif 000051
【図５０】
2020032257.tif 000052
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
複数のシート部材の間に配置された吸収体を有する吸収性本体（１０）を備えた吸収性物品であって、
前記吸収性本体（１０）は、
着用者の股下に当接する面を持つ天面部（１）と、
前記天面部（１）の肌非対向面側に向かって前記天面部（１）から延在する左右の側面部（２，３）と、を有し、
前記左右の側面部（２，３）の間に空間（４）が形成されており、
前記天面部（１）において、前記吸収体（１３）は、幅方向に延びる一又は複数の第１の圧搾線（３１）を有する
吸収性物品。
【請求項２】
前記吸収体（１３）は、奥行き方向に延びる第２の圧搾線（３２）によって、前記天面部（１）と前記左右の側面部（２，３）との境界が形成されている
請求項１に記載の吸収性物品。
【請求項３】
前記第２の圧搾線（３２）は、幅方向の外側に向かって張り出す円弧状に形成されている
請求項２に記載の吸収性物品。
【請求項４】
前記左右の側面部（２，３）において、前記吸収体（１３）は、奥行き方向に延びる一又は複数の第３の圧搾線（３３）を有する
請求項１に記載の吸収性物品
【請求項５】
前記吸収体（１３）は、少なくとも前記天面部（１）において主吸収体（１３）と副吸収体（１４）とが厚み方向に積層されたものであり、
前記第１の圧搾線（３１）が、主吸収体（１３）と副吸収体（１４）の両方又はいずれか一方に形成されている
請求項１に記載の吸収性物品。
【請求項６】
前記天面部（１）には前記空間（４）に繋がる貫通孔（７）が形成されている
請求項１に記載の吸収性物品。
【請求項７】
前記左右の側面部（２，３）のうちの前記天面部（１）とは反対側の下端部（５）に、防漏シート（２０）が前記左右の側面部（２，３）に跨って取り付けられており、
請求項１に記載の吸収性物品。